(57)【要約】  本発明は、ステアリングホイール（５ａ）と、当該ステアリングホイール（５ａ）に配置され、自動車のパラメータを検出するために自動車に取り付けられるセンサ装置（Ｅ）と機能上連動し、当該センサ装置（Ｅ）によって検出されたパラメータを表示するように構成されたディスプレイ装置（８）を備える。センサ装置（Ｅ）は、エネルギー及び／又は情報を転送又は変換するための自動車の機能ユニットに連結される。機能ユニットは、パラメータを調整するための候補につき、前記ディスプレイ装置（８）を介して運転手に表示するように構成されている。また、機能ユニットは、前記機能ユニットによって提示された候補に従ってパラメータを調整するために用いられる自動車の作動ユニット（１７，１８，１９）に連動する。【選択図】  図２
2008526609.tif 000002
【特許請求の範囲】
【請求項１】
ステアリングホイール（５ａ）と、
前記ステアリングホイール（５ａ）に配置され、自動車の少なくとも一つのパラメータを検出するために自動車に配置されるセンサ装置（Ｅ）と連動し、前記センサ装置（Ｅ）によって検出された前記パラメータを表示するディスプレイ装置（８）とを有し、
エネルギー及び／又は情報を転送または変換するための自動車の機能ユニットが、前記センサ装置（Ｅ）に連結され、
当該機能ユニットは、自動車のパラメータを調整するための候補を、前記ディスプレイ装置（８）を介して運転手に表示するように構成されるとともに、
自動車の作動ユニット（１７，１８，１９）が、前記機能ユニットに連動しており、前記機能ユニットの提示した候補に基づき、前記パラメータを調整することが可能であることを特徴とする自動車用のステアリングホイールアセンブリ。
【請求項２】
前記作動ユニット（１７，１８，１９）は、前記ステアリングホイール（５ａ）上に配置されていることを特徴とする請求項１に記載のステアリングホイールアセンブリ。
【請求項３】
前記パラメータの調整は、パラメータの確認又は変更を含むことを特徴とする請求項１又は２に記載のステアリングホイールアセンブリ。
【請求項４】
前記作動ユニット（１７，１８，１９）は、前記作動ユニット（１７，１８，１９）を操作することによって、前記候補を承諾又は拒否するように構成されていることを特徴とする請求項１から３のいずれか１項に記載のステアリングホイールアセンブリ。
【請求項５】
前記作動ユニット（１７，１８，１９）は、前記作動ユニット（１７，１８，１９）の単一作動を介して前記候補を承諾又は拒否するように構成されている請求項１から４のいずれか１項に記載のステアリングホイールアセンブリ。
【請求項６】
前記候補は、前記作動ユニット（１７，１８，１９）によって変更可能であることを特徴とする請求項１から５のいずれか１項に記載のステアリングホイールアセンブリ。
【請求項７】
前記機能ユニットは、前記作動ユニット（１７，１８，１９）が前記候補の有効な承諾のため、作動のための所定の時間制限を設けていることを特徴とする請求項１から６のいずれか１項に記載のステアリングホイールアセンブリ。
【請求項８】
前記機能ユニットは、走行制御装置として構成されていることを特徴とする請求項１から７のいずれか１項に記載のステアリングホイールアセンブリ。
【請求項９】
前記パラメータは、自動車の速度であることを特徴とする請求項１から８のいずれか１項に記載のステアリングホイールアセンブリ。
【請求項１０】
前記候補は、前記センサ装置（Ｅ）によって検出された速度制限値を、承諾のために提示し、前記候補が承諾されれば、前記走行制御装置によって、自動車の速度を前記速度制限値に制限することを特徴とする請求項１から９のいずれか１項に記載のステアリングホイールアセンブリ。
【請求項１１】
前記パラメータは、前方車両からの距離であることを特徴とする請求項１から８のいずれか１項に記載のステアリングホイールアセンブリ。
【請求項１２】
前記候補は、前方車両からの距離を、承諾のために提示し、前記候補が承諾されれば、前記走行制御装置によって当該距離が一定に維持されるように自動車の速度を規制することを特徴とする請求項１１に記載のステアリングホイールアセンブリ。
【請求項１３】
前記機能ユニットは、前記作動ユニット（１７，１８，１９）によって作動させることが可能な、かつ、前記パラメータがパラメータの制限値を下回る及び／又は超過する場合の許容範囲を設けていることを特徴とする請求項１から１２のいずれか１項に記載のステアリングホイールアセンブリ。
【請求項１４】
前記センサ装置は、自動車の周囲に配置されたディスプレイから前記パラメータの制限値を読み取るように構成されていることを特徴とする請求項１から１３のいずれか１項に記載のステアリングホイールアセンブリ。
【請求項１５】
前記センサ装置は、自動車の周囲に配置されたデータ・ストアから前記パラメータの制限値を選択するように構成されていることを特徴とする請求項１から１４のいずれか１項に記載のステアリングホイールアセンブリ。
【請求項１６】
前記センサ装置は、データベース、特にＧＰＳテータベースから前記パラメータの制限値を選択するように構成されていることを特徴とする請求項１から１５のいずれか１項に記載のステアリングホイールアセンブリ。
【請求項１７】
前記センサ装置（Ｅ）の出力信号を前記ディスプレイ装置（８）へ伝送する伝送ユニット（Ｕ）を備えていることを特徴とする請求項１から１６のいずれか１項に記載のステアリングホイールアセンブリ。
【請求項１８】
前記パラメータは、自動車のエンジンの現在の回転速度であることを特徴とする請求項１から７のいずれか１項に記載のステアリングホイールアセンブリ。
【請求項１９】
前記センサ装置（Ｅ）は、自動車の変速機の現在のギアを検出するように構成されていることを特徴とする請求項１８に記載のステアリングホイールアセンブリ。
【請求項２０】
前記候補は使用すべきギアに関するものであり、前記候補が承諾されれば、前記候補のギアの係合が行われることを特徴とする請求項１８又は１９に記載のステアリングホイールアセンブリ。
【請求項２１】
前記機能ユニットは、少なくとも現在の回転速度及び現在のギアに応じて、前記候補を、前記ディスプレイ装置（８）を介して運転手に表示するように構成された前記ディスプレイ装置（８）に接続された電子評価装置として構成されていることを特徴とする請求項１９又は２０に記載のステアリングホイールアセンブリ。
【請求項２２】
前記センサ装置（Ｅ）は、自動車の別のパラメータを検出するために構成されていることを特徴とする請求項１から２１のいずれか１項に記載のステアリングホイールアセンブリ。
【請求項２３】
前記ディスプレイ装置（８）は、前記別パラメータを表示するために構成されていることを特徴とする請求項２２に記載のステアリングホイールアセンブリ。
【請求項２４】
前記別パラメータは、自動車と自動車の周囲の物体との間の距離であることを特徴とする請求項２２又は２３に記載のステアリングホイールアセンブリ。
【請求項２５】
前記センサ装置（Ｅ）は、前記距離を駐車スペースの大きさに変換するように構成されていることを特徴とする請求項２４に記載のステアリングホイールアセンブリ。
【請求項２６】
前記センサ装置（Ｅ）は、自動車を駐車させるのに十分な広さの駐車スペースが、自動車の周囲にあるかどうかを検出するように構成されていることを特徴とする請求項２２から２５のいずれか１項に記載のステアリングホイールアセンブリ。
【請求項２７】
前記センサ装置（Ｅ）は、駐車スペースに関する情報を、前記ディスプレイ（８）を介して表示するように構成されていることを特徴とする請求項２２から２６のいずれか１項に記載のステアリングホイールアセンブリ。
【請求項２８】
前記機能ユニットは、前記センサ装置（Ｅ）に接続された電子制御装置として構成され、自動車を自動的に駐車させるように構成されていることを特徴とする請求項２２から２７のいずれか１項に記載のステアリングホイールアセンブリ。
【請求項２９】
前記ディスプレイ装置（８）は、前記ステアリングホイール（５ａ）のステアリング軸（Ｄ）を少なくとも部分的に取り囲むステアリングホイールリム（５）上に配置されていることを特徴とする請求項１から２８のいずれか１項に記載のステアリングホイールアセンブリ。
【請求項３０】
前記ディスプレイ装置（８）は、前記ステアリングホイール（５ａ）の直進運転位置において、前記垂直車軸（Ｚ）方向における前記ステアリング軸（Ｄ）上方に配置されていることを特徴とする請求項２９に記載のステアリングホイールアセンブリ。
【請求項３１】
前記ディスプレイ装置（８）は、自動車の走行情報を表示するように構成されていることを特徴とする請求項１から３０のいずれか１項に記載のステアリングホイールアセンブリ。
【請求項３２】
自動車運転手の集中状態を検出するために前記ステアリングホイール（５ａ）に配置され、検出された運転手の集中状態に応じて前記ディスプレイ装置（８）を作動させる少なくとも一つの検出装置（１０）を備えていることを特徴とする請求項１から３１のいずれか１項に記載のステアリングホイールアセンブリ。
【請求項３３】
前記検出装置（１０）は、カメラとして構成されていることを特徴とする請求項３２に記載のステアリングホイールアセンブリ。
【請求項３４】
前記検出装置（１０）は、前記ディスプレイ装置（８）に隣接して配置されていることを特徴とする請求項３２又は３３に記載のステアリングホイールアセンブリ。
【請求項３５】
前記検出装置（１０）は、前記ステアリングホイールリム（５）上に配置されていることを特徴とする請求項２９、または請求項２９に基づく請求項３０から３４のいずれか１項に記載のステアリングホイールアセンブリ。
【請求項３６】
前記検出装置（１０）は、前記ステアリングホイールリム（５）の直進運転位置において前記垂直車軸（Ｚ）方向における前記ステアリング軸（Ｄ）上方に配置されていることを特徴とする請求項２９、また請求項２９に基づく請求項３０から３５のいずれか１項に記載のステアリングホイールアセンブリ。
【請求項３７】
前記ディスプレイ装置（８）は、少なくとも２つのディスプレイ要素（３，２）を有することを特徴とする請求項１から３６のいずれか１項に記載のステアリングホイールアセンブリ。
【請求項３８】
前記検出装置（１０）は、前記少なくとも２つのディスプレイ要素（３，２）の間に前記ステアリングホイールリム（５）に沿って配置されていることを特徴とする請求項２９、請求項３２及び３７のいずれか１項に記載のステアリングホイールアセンブリ。
【請求項３９】
前記検出装置（１０）と前記２つのディスプレイ要素（３，２）それぞれとの間の距離は、前記ステアリングホイールリム（５）に沿って設けられた前記２つのディスプレイ要素（３，２）の少なくとも一方の幅より狭いことを特徴とする請求項２９及び、３７又は３８のいずれかに記載のステアリングホイールアセンブリ。
【請求項４０】
自動車運転手の集中状態を検出するための別の検出装置（１０）が設けられ、検出された運転手の注視状態に応じて、前記ディスプレイ装置（８）を作動させるように構成されていることを特徴とする請求項３２から３９のいずれか１項に記載のステアリングホイールアセンブリ。
【請求項４１】
前記別の検出装置（１０）は、カメラとして構成されていることを特徴とする請求項４０に記載のステアリングホイールアセンブリ。
【請求項４２】
前記検出装置（１０）は、前記検出装置（１０）の少なくとも一つが、前記ステアリングホイールリム（５）の位置とは関係なく前記垂直車軸（Ｚ）方向における前記ステアリング軸（Ｄ）上方に配置されるように、前記ステアリングホイールリム（５）に沿って配置されていることを特徴とする請求項２９及び、請求項４０又は４１のいずれか１項に記載のステアリングホイールアセンブリ。
【請求項４３】
前記ステアリング軸（Ｄ）を中心に回転可能であり、かつ少なくとも一つのスポーク（７）を介して前記ステアリングホイールリム（５）に接続されているハブ体（６）を備えていることを特徴とする、請求項２９に係る請求項１から４２のいずれか１項に記載のステアリングホイールアセンブリ。
【請求項４４】
前記少なくとも一つのディスプレイ装置（８）を有する前記ステアリングホイールリム（５）の領域（Ｂ）を備えていることを特徴とする請求項４３に記載のステアリングホイールアセンブリ。
【請求項４５】
前記ハブ体（６）に配置された、エアバッグ（Ｇ）を有するエアバッグモジュールを備え、前記エアバッグ（Ｇ）が、運転手を保護するために前記ステアリング軸（Ｄ）に沿った主展開方向に展開可能であり、展開時に前記ステアリング軸（Ｄ）と交差する方向に前記ステアリングホイールリム（５）の前記領域（Ｂ）に衝突する可能性のあることを特徴とする請求項４４に記載のステアリングホイールアセンブリ。
【請求項４６】
前記ステアリングホイールリム（５）の前記領域（Ｂ）は、前記エアバッグが前記領域（Ｂ）に当接する際に、前記主展開方向に偏向されるように、前記エアバッグ（Ｇ）と協働することを特徴とする請求項４５に記載のステアリングホイールアセンブリ。
【請求項４７】
展開中の前記エアバッグ（Ｇ）を偏向するための前記領域（Ｂ）は、偏向斜面を有することを特徴とする請求項４６に記載のステアリングホイールアセンブリ。
【請求項４８】
展開中の前記エアバッグ（Ｇ）を偏向するための前記領域（Ｂ）は、摩擦係数の低い表面（Ｏ）を有することを特徴とする請求項４６又は４７に記載のステアリングホイールアセンブリ。
【請求項４９】
前記ディスプレイ装置（８）は、光学式ディスプレイ（１，２，３，１１）として構成されていることを特徴とする請求項１から４８のいずれか１項に記載のステアリングホイールアセンブリ。
【請求項５０】
前記光学式ディスプレイは、少なくとも一つのＬＥＤを有することを特徴とする請求項４９に記載のステアリングホイールアセンブリ。
【請求項５１】
前記光学式ディスプレイは、複数のＬＥＤを有することを特徴とする請求項４９又は５０に記載のステアリングホイールアセンブリ。
【請求項５２】
前記光学式ディスプレイは、ＬＥＤ領域（１，２，１１）を有することを特徴とする請求項５１に記載のステアリングホイールアセンブリ。
【請求項５３】
前記光学式ディスプレイは、スクリーン（３）を有することを特徴とする請求項４９から５２のいずれか１項に記載のステアリングホイールアセンブリ。
【請求項５４】
前記ディスプレイ装置（８）は、音響ディスプレイとして構成されていることを特徴とする請求項１から４８のいずれか１項に記載のステアリングホイールアセンブリ。
【請求項５５】
前記ディスプレイ装置（８）は、触覚ディスプレイ（１２）として構成されていることを特徴とする請求項１から４８のいずれか１項に記載のステアリングホイールアセンブリ。
【請求項５６】
前記センサ装置（Ｅ）は、自動車のパラメータの制限値を検出するように構成されていることを特徴とする請求項１から５５のいずれか１項に記載のステアリングホイールアセンブリ。
【請求項５７】
請求項１から５６のいずれか１項に記載されたステアリングホイールアセンブリを有する自動車のパラメータを調整する方法であって、
前記センサ装置（Ｅ）によって自動車のパラメータを検出するステップと、
前記ディスプレイ装置（８）によって前記センサ装置（Ｅ）により検出されたパラメータを表示するステップとから成る方法。
【請求項５８】
前記パラメータは自動車の速度制限値であることを特徴とする請求項５７に記載の方法。
【請求項５９】
自動車の速度は、走行制御装置によって前記速度制限値に規制されることを特徴とする請求項５８に記載の方法。
【請求項６０】
前記センサ装置（Ｅ）によって検出された速度制限値の承諾は、前記ディスプレイ装置を介して前記走行制御装置によって運転手に提示されることを特徴とする請求項５８及び５９のいずれかに記載の方法。
【請求項６１】
前記パラメータは、自動車のエンジンの回転速度であることを特徴とする請求項５７に記載の方法。
【請求項６２】
自動車の変速機のギアは、別のパラメータとして検出されることを特徴とする請求項６１に記載の方法。
【請求項６３】
前記ギア及び回転速度に応じて、使用すべきギアが自動的に提示され、前記ディスプレイ装置（８）を介して表示されることを特徴とする請求項６１及び６２のいずれかに記載の方法。
【請求項６４】
自動車の別のパラメータが、前記センサ装置（Ｅ）によって検出されることを特徴とする請求項５７に記載の方法。
【請求項６５】
自動車と自動車の周囲の物体との間の距離が、パラメータとして検出されることを特徴とする請求項６４に記載の方法。
【請求項６６】
前記距離が、自動的に駐車スペースの変数に変換されることを特徴とする請求項６５に記載の方法。
【請求項６７】
空いた駐車スペースが、前記センサ装置（Ｅ）によって特定及び計測され、自動車を駐車させるのに十分な広さであるかが自動的に検証され、かつ駐車スペースに関する情報が、前記ディスプレイ装置（８）を介して運転手に表示されることを特徴とする請求項６４から６６のいずれか１項に記載の方法。
【発明の詳細な説明】
【技術分野】
【０００１】
本発明は、自動車用ステアリングホイールアセンブリに関する。
【背景技術】
【０００２】
この種の自動車用ステアリングホイールアセンブリは、一般的にステアリング軸の周りに回転自在に取付けられたハブ体を備える少なくとも一つのステアリングホイールを有し、ハブ体は、少なくとも一つのスポークを介してステアリングホイールリムに接続され、ステアリングホイールリムは、ハブ体及び／又はステアリング軸を少なくとも部分的に（ステアリング軸に対して交差する方向に）取り囲んでいる。この場合、特に、ステアリングホイールリムは、ハブ体を環状に取り囲むように構成されている。
【発明の開示】
【発明が解決しようとする課題】
【０００３】
本発明の目的は、自動車の快適性及び安全性を高める自動車用ステアリングホイールアセンブリを提供することである。
【課題を解決するための手段】
【０００４】
この目的は、請求項１に記載された特徴を有するステアリングホイールアセンブリによって達成される。
【０００５】
本発明によれば、ステアリングホイールアセンブリ（ステアリングホイール組立体、ステアリングホイール構造体または操舵輪組立体ともいう）は、ステアリングホイール及びステアリングホイールに設けられたディスプレイ装置を有する。ディスプレイ装置は、自動車の少なくとも一つのパラメータを検出するために自動車に設けられるセンサ装置と連動し、センサ装置によって検出されるパラメータを表示するように設けられている。エネルギー及び／又は情報を転送又は変換するための自動車の機能ユニットが、センサ装置に連結され、自動車のパラメータを調整するための候補（提案）を、ディスプレイ装置を介して運転手に表示するように構成されている。また、自動車の作動ユニットは、機能ユニットに連動し、機能ユニットの提示した候補に従ってパラメータを調整することが可能である。
【０００６】
このように構成することよって、本発明に係る目的は、有利に達成される。本発明に係るステアリングホイールアセンブリにおいて、すなわち、ステアリングホイール上にディスプレイ装置を配置することによって、パラメータは、運転手の連続した視野の中に表示され、その結果、ディスプレイは、常に大変容易に目視できるため、ディスプレイ装置を見ることによって、運転手の注意が周囲の交通状況から逸れることはほとんどない。このことは、全体として自動車の快適性及び安全性の向上につながる。これらの効果は、ステアリングホイール及び、ステアリングホイールに配置されたディスプレイ装置を有するステアリングホイールアセンブリによって実現される。更に、このディスプレイ装置は、自動車のパラメータを検出するために自動車に設けられるセンサ装置と連動し、センサ装置によって検出されたパラメータを表示するように構成されている。基本的にセンサ装置に任意に連結される機能ユニットにより更なる効用が奏される。
【０００７】
センサ装置によって検出し得るパラメータは、例えば、外部で予め設定されたパラメータの制限値と、センサ装置によって検出し得るパラメータを含んでいる。機能ユニットとは、例えば、自動車の速度を速度制限値（制限速度）に規制するための走行制御装置や、エンジンの現在の回転速度や自動車の変速機の現在のギアに応じて使用すべきギアを検出する電子評価装置などである。同様に、走行制御装置によって、自動車の速度を、前方車両との所定の車間距離（安全距離）に合わせることができるようにしてもよい。また、同様に、この機能ユニットは、自動車を自動的に駐車させるように構成された電子制御装置であってもよい。
【０００８】
機能ユニットを作動（始動、停止及び調整）するための作動ユニットは、ステアリングホイール上に配置されることが好ましい。ステアリングホイールは、例えば、ステアリング軸の周りに回転自在に取付けられたハブ体を有し、ステアリング軸に交差する方向にハブ体を少なくとも部分的に取り囲むステアリングホイールリムは、少なくとも一つのスポークを介してハブ体に固定されている。したがって、作動ユニットは、ハブ体だけでなく、スポークやステアリングホイールリムに配置されてもよい。運転手がステアリングホイールから手を離さなくても作動させることができるように、ステアリングホイールに配置されていると有利である。
【０００９】
パラメータの調整は、パラメータの確認又は変更を含み、作動ユニットを操作することによって候補を承諾及び拒否するように構成されている作動ユニットによって行なわれることが好ましい。例えば、センサ装置によって検出された（例えば、外部で予め設定された）現在の速度制限値が提示された場合、運転手は、作動ユニットの単一作動によってこの制限値を承諾、拒否又は調整できる。すなわち、提示された速度制限値を増加及び／又は低減させ、あるいは随意に、直ぐに又は後で、その制限値を承諾することもできる。
【００１０】
本発明の変更例においては、機能ユニットは、作動ユニットが候補の効果的な承諾のために作動されなければならない所定の時間制限を設けている。
【００１１】
本発明に係る前述の手段により、運転手は自動車を快適かつ安全に運転できるが、このような人と機械のインターフェイスの設計によって、運転手の個人責任が削減されることはない。
【００１２】
本発明の特に好ましい実施形態においては、機能ユニットは、走行中の自動車の現在の速度（パラメータ）を、速度制限値（制限速度）に規制する走行制御装置として構成されている。本発明の変更例においては、走行制御装置は、自動車の速度をディスプレイ装置によって表示された速度制限値に規制することが好ましい。言い換えれば、走行制御装置は、現在の（規定の）制限速度に対応したほぼ一定の速度をもたらす。
【００１３】
センサ装置によって検出された速度制限値が、乗員の承諾を得るために候補として提示され、この候補が承諾されれば、自動車の速度は、走行制御装置によって速度制限値に規制されることが好ましい。
【００１４】
本発明の別の変更例においては、パラメータは前方車両との車間距離である。この前方車両との車間距離が、機能ユニット（走行制御装置）の提示する候補として承諾を得るために提示され、その候補が承諾されれば、前方車両との距離がほぼ一定に維持されるように、走行制御装置によって自動車の速度規制が行われることが好ましい。
【００１５】
ディスプレイ装置によって表示された速度制限値（制限速度）を採用するには、特に作動ユニットの単一作動だけで十分である。例えば、前記作動ユニットは、押しボタン式スイッチとして構成され、一回押すだけで、走行制御装置を作動させる、かつ／又は、ディスプレイ装置によって表示された速度制限値を確認することができる。
【００１６】
このようにして、走行制御装置は、楽に作動させることができ、同時に、運転手の視野に制限速度を表示することによって、運転手の注意が交通状況から逸れることはなく、全体として自動車の安全性が高まる。
【００１７】
本発明の変更例においては、機能ユニットは、作動ユニットによって起動可能な許容範囲、すなわちパラメータが、パラメータの制限値を下回る、かつ／又は上回ることを想定した許容範囲を設けるようになされている。
【００１８】
センサ装置は、車両の周囲のディスプレイからパラメータの（現在の）制限値を読み取るように構成されていることが好ましい。さらに、センサ装置は、データベース、特にＧＰＳデータベースからパラメータの制限値を選択するように構成されていることが好ましい。
【００１９】
パラメータとして自動車の速度を速度制限値に制限及び／又は規制する走行制御装置である機能ユニットによって、ステアリングホイールアセンブリの現在の所定の速度制限値が、例えば、光センサ（例えば、デジタルカメラ）によって道路標識又は他の表示から読み取られる。本発明の別の変更例においては、センサ装置は、パラメータの制限値（例えば、規定の制限速度）を自動車の周囲に配置されたデータ・ストアから選択するように構成されている。さらに、パラメータの制限値（例えば、規定の制限速度）は、ＲＦＩＤ（無線ＩＣタグ）によってステアリングホイールアセンブリへ転送されてもよい。例えば、自動車に配置されたセンサ装置によって選択可能なトランスポンダの設置地点において予め設定された速度制限値を記憶する記憶媒体として、自動車の周囲に設けられた固定式トランスポンダを介して転送可能である。
【００２０】
本発明の別の形態においては、センサ装置の出力信号をディスプレイ装置に伝送する伝送ユニットが設けられている。
【００２１】
本発明の好ましい変更例においては、パラメータとして、現在のエンジンの回転速度及び／又は自動車の変速機のギアが、センサ装置によって検出されるように構成されている。好ましくは、機能ユニットによって検出された使用すべきギアに関する候補を運転手が承諾すると、自動変速機を有する自動車の場合、提示されたギアが自動的に入る。
【００２２】
本発明の変更例においては、機能ユニットは、ディスプレイ装置に接続された電子評価装置として構成され、少なくとも現在の回転速度及び現在のギアに応じて、使用すべきギアに関する候補を決定し、ディスプレイ装置を介して当該候補を運転手に表示するように構成されている。
【００２３】
本発明の別の変更例においては、センサ装置は、好ましくはディスプレイ装置によって表示可能な、自動車のさらに別のパラメータを検出するように構成されている。このパラメータは、自動車と自動車の周囲の物体との間の距離であることが好ましい。
【００２４】
センサ装置は、距離を駐車スペースの大きさに変換するように構成されていることが好ましい。これに関連して、センサ装置は、自動車を駐車させるのに十分な広さの駐車スペースが、自動車の周囲にあるかどうかを検出するように構成されていることが好ましい。さらに、センサ装置は、ディスプレイ装置を介して駐車スペースの情報を表示するように構成されることが好ましい。
【００２５】
本発明の変更例においては、機能ユニットは、センサ装置に接続された電子制御装置として構成され、自動車を自動的に駐車させるように構成されている。
【００２６】
本発明の一つの実施形態においては、ディスプレイ装置は、ステアリングホイールのステアリングホイールリム上に配置され、少なくとも一部がステアリングホイールのステアリング軸を（ステアリング軸に対して交差する方向に）取り囲んでいる。ディスプレイ装置は、（自動車に装着されたステアリングホイールの状態に対して）ステアリングホイールの直進運転位置において、垂直車両軸方向におけるステアリング軸上方に、すなわち、１２時の位置に配置される。ディスプレイ装置は、ステアリングホイールリムの直進運転位置においてステアリングホイールリムの垂直車軸方向の最上部に配置されるように、ステアリングホイールリム上に配置されていることが好ましい。これにより運転手は、ディスプレイ装置を見るために、（車両長手方向軸に対して平行な）前方視線方向に対して僅かに視線の方向を変えるだけでよいため、ディスプレイ装置は、運転手によって特に容易に目視可能となる。このようにディスプレイ装置は、常に運転手の視野の中にあるため、運転手はディスプレイ装置に集中していなくても、単純な（明解な）光学的信号を常に目視することが可能になる。
【００２７】
本発明の別の変更例においては、ステアリングホイール上に配置された少なくとも一つの検出装置は、自動車運転手の集中状態（集中の度合い、または注視状態ともいう）を検出するために設けられ、検出された運転手の集中状態に応じてディスプレイ装置を作動させる。
【００２８】
運転手の注視状態は、計測される、すなわち異なった指標を用いて分類可能である。この指標とは、例えば、運転手の視線方向であり、特に、視線の方向が直進運転方向からどのくらいの間（時間的に見て）逸れているのかということが重要である。これは、検出装置によって検出可能である。
【００２９】
本発明の特に好ましい変更例においては、検出装置は、例えば運転手の視線方向を検出するために、カメラ（例えば、デジタルカメラ）として構成されている。カメラによって検出された詳細な画像は、適切な画像認識ソフトによって評価される。あるいは、検出装置は、光センサ（例えば、光送信機と光受信機とを組み合わせたもの）であってもよい。
【００３０】
検出装置は、ディスプレイ装置に隣接して配置されることが好ましい。運転手が、一般的にディスプレイ装置、特に光学式ディスプレイの場合は、その機能を制限しないようにディスプレイ装置を手で覆わないようにするので、結果的に、自動車運転時に検出装置が運転手の手によって覆われる確率が減少するため有利である。
【００３１】
本発明の変更例においては、検出装置がステアリングホイールリム上に配置されるように構成されている。検出装置は、例えば、カメラとして、ステアリングホイールの直進運転位置において、垂直車両軸方向におけるステアリング軸上方に、すなわち、１２時の位置に配置されることが特に好ましい。
【００３２】
ディスプレイ装置は、少なくとも２つのディスプレイ要素（例えば、スクリーン及びそれに隣接するＬＥＤ領域）を有することが好ましく、複数のＬＥＤ領域を有することも可能である。検出装置は、ステアリングホイールリムに沿って、すなわち、少なくとも２つのディスプレイ要素の間のステアリングホイールリムの回転方向に配置されることが特に好ましい。
【００３３】
この場合、検出装置と、ステアリングホイールリムに沿って配置されたディスプレイ装置の少なくとも２つのディスプレイ要素の相互間の距離は、２つのディスプレイ要素のうち少なくとも一方の、ステアリングホイールリムに沿った（すなわち、ステアリングホイールリムの回転方向の）幅よりも狭いことが好ましい。このように、検出装置は、２つのディスプレイ要素の少なくとも一方から回転方向に僅かな間隔しか空けて配置されていない。
【００３４】
本発明の別の変更例においては、複数の検出装置として、特にカメラ（例えば、デジタルカメラ）が設けられている。検出装置は、検出装置のうち少なくとも一つが、ステアリングホイールの位置に関係なく、垂直車両軸方向におけるステアリング軸上方に配置されるように、ステアリングホイールリムに沿って配置されることが好ましい。
【００３５】
一つの検出装置及び／又はその他の検出装置は、運転手の集中状態（注視状態）に応じて、例えば、シートランプ又は電動式安全ベルトなどの他の警告装置及び／又は安全装置を制御するのに用いることも可能である。
【００３６】
本発明の変更例においては、ステアリングホイールは、ステアリング軸周りに回転可能であるとともに、少なくとも一つのスポークを介してステアリングホイールのステアリングホイールリムに接続されているハブ体を有する。少なくとも一つのディスプレイ装置を有するステアリングホイールリム領域が設けられていることが好ましい。
【００３７】
エアバッグは、運転手を保護するために、ステアリング軸に沿った主展開方向に展開し、展開時にステアリング軸に対して交差する方向にステアリングホイールリムの領域に衝突する可能性がある。このステアリングホイールリムの領域は、ステアリングホイールリムとエアバッグ、および、特にディスプレイ装置を主展開方向に保護するためにエアバッグが偏向されるように、エアバッグと連動することが好ましい。
【００３８】
展開中のエアバッグを偏向するための領域は、偏向斜面を有する、すなわちステアリングホイールのステアリング軸と合致するエアバッグの主展開方向に対して、部分的に傾斜していることが好ましい。傾斜は、エアバッグが、偏向時の角度（視射角）と同じ角度（入射角）で領域に当るように構成される。両角度は、展開時にエアバッグが衝突するステアリングホイールリムの衝突領域に対して垂直な垂線に対して計測される。
【００３９】
さらに、展開中のエアバッグを偏向するための領域は、摩擦係数の低い表面を有することが好ましく、また、この摩擦係数は、ステアリングホイールリムの隣接領域の摩擦係数より低いことが望ましい。したがって、この表面は、表面とエアバッグとの間の摩擦が出来る限り低く、エアバッグが当該領域上を容易に摺動可能なように形成されていることが必要である。エアバッグ構成材に応じて、エアバッグが摺動する領域の表面は、例えば円滑面として構成可能である。
【００４０】
上記したようなエアバッグを偏向するステアリングホイールリムの領域の形状（及び／又は当該領域の表面の性質）は、展開中のエアバッグから、ステアリングホイールリムやディスプレイ装置を保護するだけでなく、エアバッグ自体を保護して、自動車の安全性をさらに高める。
【００４１】
ディスプレイ装置は、光学式ディスプレイとして構成されることが特に好ましい。この場合、光学式ディスプレイは、少なくとも一つのＬＥＤ（発光ダイオード）を有することが好ましい。
光学式ディスプレイは、さらに複数のＬＥＤによって形成され、ＬＥＤ領域を有することが好ましい。ＬＥＤ領域のＬＥＤは、（ＬＥＤの数に対応して）図示記号を表示できるように作動させることが可能である。このようなＬＥＤ領域は、直線状に構成することも可能である。
【００４２】
本発明の特に好ましい変更例においては、光学式ディスプレイは、少なくとも一つのスクリーンを有し、当該スクリーンは、ＬＣＤ（液晶ディスプレイ）であることが好ましい。しかし、他のディスプレイ技術を用いてもかまわない。
【００４３】
他の変更例においては、ディスプレイ装置は、音響ディスプレイ又は触覚ディスプレイとして構成されている。当然、光学式、音響式及び触覚式ディスプレイを互いに組み合わせることも可能である。触覚ディスプレイは、例えば、好ましくは、ステアリングホイールリムに配置される振動装置である。当該触覚ディスプレイは、あらゆるグリップ位置で感じられるように、ステアリングホイールリムを環状に（ステアリングホイールリムに沿ってステアリングホイールリムの回転方向に回転可能に）取り囲む。触覚ディスプレイは、人、特に運転手と絶えず接触する自動車の領域（ステアリングホイール、座席など）に配置されていると有利である。
【００４４】
本発明の他の形態として、自動車のパラメータを規制する方法が構成される。当該方法によれば、自動車のパラメータがセンサ装置によって検出され、検出されたパラメータがディスプレイ装置によって表示される。好ましくは、速度制限値が自動車のパラメータとして検出される。
【００４５】
自動車の速度は、走行制御装置によって速度制限値に規制されることが好ましく、走行制御装置は、ステアリングホイール領域に配置された作動ユニットを作動させることによって作動可能となる。
【００４６】
現在有効な速度制限値（制限速度）が、例えば、データベースから光センサ等によって能動的に検出される。この検出された速度制限値は、（速度に関する）候補としてディスプレイ装置を介して運転手に表示され、運転手は、作動ユニットによって、例えば、単一のボタン操作を介して前記候補を承諾（承認）することができる。結果的に、走行制御装置は、自動車の速度をこの制限速度に規制し、再度、ディスプレイ装置を介して最新の制限速度に対応する候補を表示する。さらに、表示された制限速度は、作動ユニットを介して拒否及び／又は変更されてもよい。
【００４７】
この方法の他の変更例においては、自動車エンジンの回転速度は、パラメータとして検出され、好ましくは、走行時の自動車の変速装置の現在のギアがさらに別のパラメータとして検出される。
【００４８】
この方法の好ましい変更例は、さらに、少なくとも、自動車の走行時に使用されるギア及び現在の回転速度に応じて、使用すべきギアが、自動的に提示され、ディスプレイ装置を介して表示されるようになされている。
【００４９】
他の変更例においては、自動車の別のパラメータが、センサ装置によって検出され、好ましくは自動車と自動車の周囲の物体との間の距離がパラメータとして検出される。
【００５０】
好ましくは、自動的に検出される距離は、駐車スペースの変数に変換される。換言すれば、センサ装置によって、駐車場所（駐車スペース）の大きさ、及び／又は、駐車スペースが当該車両を停車すなわち駐車するのに十分な大きさかどうかが検出される。この駐車スペースとは、例えば、道路沿いに駐車されている２台の車両の間の駐車スペースである。センサ装置は、通過走行時に、道路沿いの２台の車両の間の距離を検出可能であり、駐車スペース（駐車場所）の大きさを自動的に判定及び／又は推定可能である。
【００５１】
本発明に係る方法の好ましい形態として、空いた駐車スペースが、センサ装置によって特定及び計測され、駐車スペースが自動車を駐車するだけの十分な広さがあるか自動的に検証されるように構成される。さらに、ディスプレイ装置を介して、特にその駐車スペースが自動車を駐車するのに十分な大きさであるかどうかといった検出された駐車スペースに関して、検出された情報が、運転手に対して表示される。これに関連して、センサ装置は、平均的な車両運転手が駐車するのに必要とするスペースも考慮する。また、センサ装置が、自動車を駐車スペースへ入れる方法を自動的に計測し、これがディスプレイ装置を介して運転手に表示される態様も考えられる
【００５２】
これにより自動車の快適性が改善される。さらに、自動車と自動車の周囲の物体との間の距離に関する本発明に係る検出によって、駐車スペースの大きさを認識することにより、隣接する物体との衝突の危険性が減少するため、確実に駐車することが可能となる。
【００５３】
本発明については、センサ装置を他の機能にも使用可能である。換言すれば、特定（既定）の閾値速度を超える通常の直進運転時に、センサ装置は、前方走行中又は接近中の車両及び／又は障害物からの距離を検出し、衝突警告装置（例えば、光学、音響及び／又は触覚ディスプレイ）を作動させるために使用してもよい。一方、基準速度を下回る速度での低速走行時には、同様のセンサ装置を、自動車の可能な駐車スペースを検出及び計測するために使用してもよい。
【００５４】
本発明の更なる詳細及び利点は、図面を参照しつつ、実施形態に関する以下の記述により明らかにされる。
【発明を実施するための最良の形態】
【００５５】
図２は、ステアリングホイールリム５と、３つのスポーク７を介してステアリングホイールリム５に接続されているハブ体６とを有するステアリングホイール５ａを有するステアリングホイールアセンブリ（ステアリングホイール組立体、構造体ないし操舵輪組立体ともいう）４の平面図である。
【００５６】
ハブ体６は、図面の面方向に対して垂直なステアリング軸Dを中心に回転可能に取付けられているとともに、ステアリング軸Dに交差する方向に形成された環状のステアリングホイールリム５によってステアリングホイールリム５の回転方向Rに囲まれている。３つのスポーク７は、ステアリングホイールリム５の直進運転位置において（ステアリングホイール５ａの装着状態に対して）、ほぼＴ字形に構成されている。３つのスポーク７のうちの一つは、ほぼ垂直車軸Ｚ方向に延在し（ステアリングホイール５ａは、垂直車軸Ｚに対して傾斜してもよく、かつ／又は、調整可能な傾斜を有してもよい）、他の二つのスポーク７は、ハブ体６から両方向に水平に突出し、直進運転位置に対して、ステアリングホイールリム５をステアリング軸Ｄより上方に延在する上半分とステアリング軸Ｄより下方に延在する下半分とに区分している。
【００５７】
ステアリングホイールアセンブリ４は、交通関連情報を表示するための光学式ディスプレイであるディスプレイ装置８を有する。ディスプレイ装置８の第１ディスプレイ要素は、矩形スクリーン３、すなわち液晶ディスプレイ（ＬＣＤ）として構成される。液晶ディスプレイ（ＬＣＤ）は、図２に示されたステアリングホイールリム５の直進運転位置において、ステアリングホイールリム５の上半部、つまり、ステアリングホイールリムの直進運転位置に対してステアリングホイールリム５の（垂直車軸Ｚに対して）ほぼ最上部、すなわち１２時の位置に配置される。この場合、スクリーン３は、運転手に面して配置されたステアリングホイールリム５の上面に嵌め込まれ、車両の長軸Ｘ方向に運転手と対向して向かい合うように配置されている。
【００５８】
スクリーン３は、それぞれ５つのＬＥＤ領域２から構成されたディスプレイ装置８の二つの別のディスプレイ要素の間に、ステアリングホイールリム５に沿って、すなわち、ステアリングホイールリム５の回転方向に配置されている。ＬＥＤ領域２は、回転方向Rに長手状に（直線状に）延在する構成であり、ステアリングホイールリム５の直進運転位置において、垂直車軸Ｚ方向に重ねて配置され、ステアリングホイールリム５の外周縁部９に向かうにつれて（回転方向に）幅広になるように構成されている。すなわち、回転方向RのＬＥＤ領域２の長さは、ステアリングホイール５ａのハブ体６から径方向に離れるとともに長くなるように構成されている。
【００５９】
図８は、図２に示されたステアリングホイール５の変更例を示す平面図である。図２とは異なり、湾曲形状の別のＬＥＤ領域１が、ステアリングホイールリム５の外周縁部９に沿って（回転軸Ｄに垂直な径方向に）、すなわちステアリングホイール５のほぼ上半部全体にわたって延在している。ＬＥＤ領域１は、回転方向Ｒにほぼ同じ長さの３つのセグメント１ｂ，１ａ及び１ｃに分割されている。中央セグメント１ａは、（ステアリングホイールリム５の直進運転位置において）スクリーン３及びＬＥＤ領域２（スクリーン３の回転方向Ｒの両側にそれぞれ４つ配置されている）の垂直車軸Ｚ方向上側に配置されている。これらセグメント１ａ，１ｂ及び１ｃは、別々に作動して交通関連情報を表示することが可能である。
【００６０】
図９は、図８に示されたステアリングホイールアセンブリ４の別の変更例である。図８とは異なり、スクリーン３が設けられておらず（勿論、このスクリーン３をここで使用してもよい）、このＬＥＤ領域１は、中央セグメント１ａだけを用いている。さらに、カメラ１０が設けられていないが、ここに設けてもよい。さらに、互いに離間するＬＥＤ領域２の両側に追加ＬＥＤ領域１１がそれぞれ配置され、ステアリングホイールリム５の上面に回転方向Ｒに対して交差する方向に設けられている。これらの追加ＬＥＤ領域１１は、別々に作動し、特に、車両が車線から（進行方向に対して交差する方向に）逸れたことを示す警告信号を表示することが可能である。例えば、車両が、（進行方向の）右側の車線表示を越えて車線から逸れた場合、そのことがセンサによって確認され、電子制御装置に伝達される。これに応じて、ステアリングホイールリム５の（進行方向に対して）右側に設けられた追加ＬＥＤ領域１１の一つが作動される。車両が車線から逸れた程度によって、別の追加ＬＥＤ領域１１がステアリングホイールリム５の右側で作動可能である。
【００６１】
運転手は、周りの交通状況及び周辺状況を見る際に、集中した状態にあると考えられる。図２ないし図８に示すように、運転手の集中状態を検出するために、検出装置１０としてのカメラが、スクリーン３と、重ねて配置されたＬＥＤ領域２との間の回転方向Ｒ、言い換えれば（運転手から見て）直進運転方向に対してスクリーン３の右側に配置されている。
【００６２】
運転手の集中状態に関する重要な指標には、例えば、視線方向や目の位置がある。この場合、注視状態は、例えば、（前方の道路利用者を見る）前方視線方向からの視線方向の逸れ、及び／又は、目の位置（開閉）によって区分できる。視線方向や目の位置をカメラ１０で検出し、ディスプレイ装置８の前述のディスプレイ要素の制御に使用することができる。
【００６３】
ディスプレイ装置８のディスプレイ要素は、（例えば、運転手の目が既定の時間以上閉じられ、ないし運転手の視線方向が前方視線方向から特定の時間以上逸れた場合）運転手に注意力が低下したことを警告するために作動されるように構成されている。
【００６４】
ディスプレイ要素によって発せられる警告信号の視認性を高めるために、特に、ＬＥＤ領域２又はＬＥＤ領域１は、異なった頻度、及び／又は、強度（明るさのレベル）で点灯するように構成されている。別の又は更なる方法としては、スクリーン３を使って言語ないし記号を表示して運転手に警告することも可能である。
【００６５】
さらに、触覚信号を用いて運転手に警告を発するようにしてもよく、図２によれば、ステアリングホイールリム５に設けられた振動装置１２によって発生させることができる。振動装置１２によって発せられる触覚信号が運転手のあらゆるグリップ位置において感じられるように、振動装置１２は、ステアリングホイールリム５上の回転方向Rに分散配置されるか、又はステアリングホイールリム５の全周にわたって回転方向Rに延在する。そのような振動装置１２は、運転手用の自動車シートに用いることも可能である。ステアリングホイールリム５に配置された振動装置１２としての触覚ディスプレイを用いて、特に車線の側方に逸れていることを運転手に警告する。また、当然、音響信号を用いて運転手に警告を発するようにすることも可能である。
【００６６】
ステアリングホイールアセンブリ４のディスプレイ装置８は、ステアリングホイールリム５上に設けられているため、常に運転手の視野の中に存在している。図１に示されているようなダッシュボード下方の中央コンソールに設けられた公知の通信インターフェース１３を有する従来のカーナビを使用する場合、通信インターフェース１３（光学式ディスプレイと操作ユニットの組み合わせ）は、運転時間のおよそ１８％の間しか見ていないことが知られている。一方、平均的な運転手は、運転時間のおよそ７２％の間、直進運転方向（前方視線方向）を見ているため、ステアリングホイールアセンブリ４のディスプレイ装置８は、運転時間のおよそ７２％の間、運転手の視野の中にある。この結果、危険な状況において、運転手が、ディスプレイ装置８を介して警告や情報を得やすいと同時に、ディスプレイ装置８は、公知の中央通信インターフェース１３よりもさらに視野の中央に取り付けられているため、注意が周囲の交通状況から逸れることが少なくなる。したがって、運転手への適時な警告によって、事故を回避、ないし一層効果的に削減することが可能である。
【００６７】
さらに、ステアリングホイールアセンブリ４のディスプレイ装置８は、図１に示される公知のＨＵＤ１６（ヘッドアップディスプレイ、すなわち自動車のフロントガラス上に投影された表示）に対して、環境の影響（例えば、直進運転方向と反対方向の直達日射）による機能低下が少ないという利点がある。
【００６８】
さらに、図２に係るステアリングホイールアセンブリ４は、作動ユニット（図８及び９には図示されていない）を有する。この場合、この作動ユニットは、２つの作動レバー１７であり、運転手によって（例えば、親指で押して）長手方向車両軸Ｘの方向に作動されるようにステアリングホイールアセンブリ４の水平方向に延在するスポーク７上にそれぞれ構成配置されている。当該作動レバー１７によって、例えば、自動車の運転方向指示器を作動及び／又は停止させることができる。また、２つの水平方向に延在するスポーク７（ステアリングホイールリム５の直進運転位置に対して水平）は、それぞれ一つのロッカ状（揺動状ともいう）の作動要素１８を有し、当該作動要素１８は、対向する両端部上で、つまり長手方向車両軸Ｘの方向に押圧することにより作動可能である。このように、スクリーン３上に表示されるメニューから、例えば、選択領域（カーソル）を、２つの作動要素１８のうちの一方によって上方及び／又は下方に（ステアリングホイールリム５の直進運転位置において垂直車軸Ｚ方向に）移動（スクロール）させることにより選択が可能である。一方、他方の作動要素１８によって、（ステアリングホイールリム５の直進運転位置において運転手から見て）選択領域を左及び／又は右へ移動させることが可能である。
【００６９】
さらに、２つの水平スポーク７には、それぞれ簡単な押しボタン式スイッチ１９が配置されている。２つの押しボタン式スイッチ１９の一方は、特定の選択肢を確認するのに用いられることが好ましく、他方は、ディスプレイ装置８によって表示された選択又はオプションを拒否するのに使われる。
【００７０】
ステアリングホイールアセンブリ４につき、図２，８及び９における鉛直方向に積み重なるように配置されたディスプレイ装置８のＬＥＤ領域２は、衝突警報及び／又は距離信号として用いられることが好ましい。これに関連して、少なくとも３つのそれぞれ異なる態様がある。第１に、図４ｃに示されているように同じ車線上に前方車両１５がある場合、当該車両１５との距離が、図３ａから３ｄに示されているように、ＬＥＤ領域２によって表示可能である。すなわち、特定の車間距離以下になると、最初に、ハブ体６に近い方に位置するスクリーン３の両側のＬＥＤ領域２が作動し（図３ａ）、そして更に車間距離が縮まると、（ステアリングホイールの直進運転位置に対して）垂直車軸Ｚ方向上方に重ねて配置されたＬＥＤ領域２（図３ｂ、３ｃ）が順次作動する。衝突の深刻な危機に至った場合には、（ステアリングホイールリム５の直進運転位置に対して）垂直車軸Ｚ方向において最上段のＬＥＤ領域２（図３ｄ）、及び／又は、図８又は９に示されたタイプのステアリングホイール５の場合は、好ましくはステアリングホイールリム５の最も外側の外周縁部９に設けられた別のＬＥＤ領域１が作動する。最上段のＬＥＤ領域２及び／又は別のＬＥＤ領域１は、運転手に対する前述の警告として赤色光を伝送する構成となっていることが好ましい。
【００７１】
そのような衝突警報は、図４ａのように、隣接する車線からステアリングホイールアセンブリ４を有する自動車１４の走行車線へ車線変更する対向車２０の場合にも表示される。さらに、そのような警報信号は、図４ｂのように、自動車１４の車線と交差する車両２１との側面衝突の恐れのある場合にも作動する。
【００７２】
コーナリング速度警報も、スクリーン３を介して表示される。この場合、センサシステムが、前方のカーブの湾曲を測定し、それを基にカーブで危険を犯さず通過可能な最大速度を算出する。自動車の速度が、この速度を超すと、コーナリング速度警報が、例えば、図６のような絵文字として作動する。
【００７３】
また、情報、例えば、カーナビによって探索される走行ルートは、ステアリングホイールアセンブリ４のスクリーン３を介して表示してもよい。特に、進路変更する前に、スクリーン３を介して、例えば、図２に示すように、これから先の走行方向を示す矢印を表示することによって、進行方向の変更を表示することが可能である。
【００７４】
さらに、センサシステム（例えば、カメラ）が、自動車の周囲の一時停止の道路標識を確認するように構成される。この一時停止の道路標識が、図７に示すように絵文字としてスクリーン３上に表示される。この場合、任意に、例えば、別のＬＥＤ領域１又はＬＥＤ領域２の一つを介してブレーキ警告が表示される。この目的のために、別のＬＥＤ領域１、及び／又はＬＥＤ領域２の一つは、赤色光を伝送するように構成されていることが好ましい。
【００７５】
ディスプレイ装置８、特にスクリーン３は、当然、自動車のタンクのガソリン量や自動車のタイヤの空気圧を表示するのに用い、及び／又は、タイヤの空気圧不足及び／又はガソリン不足の場合には、対応する警告及び／又は指示を表示する働きを有してもよい。有利には、スクリーン３を介して運転手にシートベルトの装着を促すことも可能である。
【００７６】
図２及び８に係る構成の有利な点として、伝送ユニットＵ（図８には示されていない）によってステアリングホイールアセンブリ４へ伝送された自動車の速度制限値（制限速度）を、スクリーン３を介して示すことができる。当該速度制限値は、この目的のために自動車の内側または外側に配置されたセンサ装置Ｅによって検出可能である。したがって、センサ装置Ｅは、走行ルート沿いに設けられた標識から光センサによって速度制限値を読み取る。別のあるいは追加的な方法としては、センサ装置Ｅが、速度の現行制限値に関する情報が蓄積されたＧＰＳデータベースから速度の現行制限値を選択するように構成される。
【００７７】
センサ装置Ｅによって検出された現在の速度制限値は、スクリーン３を介してまず運転手に表示される。そこで、運転手は、提示されたこの速度制限値を承諾して走行制御装置に移管し、その結果、走行制御装置によって、車両速度を承諾した速度制限値に制限及び／又は規制するか、それともこの検出された現在の速度制限値を拒否するかを決定することが可能である。
【００７８】
走行制御装置及びディスプレイ装置に連結されたステアリングホイールアセンブリ４の作動ユニット１７，１８，１９によって、提示された候補（提案）を承諾及び／又は拒否する。この場合、好ましくは、作動ユニット１７，１８，１９の単一作動、例えば、２つの押しボタン式スイッチ１９の一方を押すことによって、検出された速度制限値が承諾される。
【００７９】
運転手は、スクリーンを介して提示された速度制限値（候補）を作動ユニットによって変更、すなわち増減させることも可能である。例えば、作動レバー１７及び／又は作動要素１８は、このために構成配置されている。
【００８０】
さらに、走行制御装置によって設定された速度制限値の許容範囲は、作動ユニット１７，１８，１９によって調整、作動される。当該許容範囲とは、自動車の速度が、検出された速度制限値から外れると想定される速度範囲である。従って、運転手は、例えば、外部からディスプレイ装置に伝送された速度制限値を常時１０％上回るように調整できる。
【００８１】
また、スクリーン３は、エンジンの現在の回転速度及び／又は自動車の変速装置の使用中のギアを表示するように構成されている。本実施例では、センサ装置Ｅは、自動車の現在の回転速度及び現在のギアを検出するように構成されている。
【００８２】
機能ユニットとしての電子評価装置は、検出された回転速度から、現在のギアに応じて使用すべきギアを算出し、その候補は、スクリーン３を介して表示され、例えば、運転手がボタン（押しボタン式スイッチ１９）を押すことにより承諾及び／又は拒否される。この候補は、ステアリングホイールアセンブリ４の作動ユニット１７，１８，１９を介して調整可能な別のパラメータ（例えば、スポーツ性、経済性などの所望の運転スタイル）に応じて決められてもよい。
【００８３】
さらに、スクリーン３は、有利には、選択された駐車場所（駐車スペース）に駐車するためにどのような操作を行えばよいかを運転手に表示するのに用いることもできる。この目的のために、前記駐車場所は、例えば、通過走行時にセンサ装置Ｅによって計測され分類される。すなわち、駐車スペースの大きさから駐車可能か否かが自動的に決定される。
【００８４】
図１０は、図１１および図１２と併せて、ステアリングホイール５ａのステアリングホイールリム５を有する、図２，８及び９に示されたタイプのステアリングホイールアセンブリ４のステアリングホイール５ａの細部を示す概略断面図である。ステアリングホイール５ａのステアリングホイールリム５は、ステアリング軸Ｄに対して交差する方向に環状にハブ体６を取り囲んでいる。ステアリング軸Ｄは、図１０から１２の各切断面に示されている。
【００８５】
ハブ体６は、運転手を保護するためにステアリング軸Ｄと一致する主展開方向に展開可能なエアバッグＧ（エアバッグＧの一部は、図１０に点線で示されている）を有するエアバッグモジュールの収納容器を形成している。この目的のために、エアバッグＧは、エアバッグモジュールのガス発生装置（図示されていない）によって膨張し、ハブ体６のカバーキャップ（図示されていない）を突き抜け、及び／又は吹き飛ばし、運転手を保護するために主展開方向、すなわちステアリングホイール５ａと運転手との間に展開する。エアバッグＧは、膨張状態で、ステアリング軸Ｄ及び／又は主展開方向に対して左右対称に構成され、ステアリング軸Ｄの方向と、ステアリング軸Ｄに対して交差する方向との両方向に空間的膨張をする。エアバッグＧは、ガス発生装置からのガスで充填されることにより、ステアリング軸Ｄに対して交差する方向に膨張しながら展開し、ステアリング軸Ｄに交差するステアリング軸Ｄに対向するステアリングホイールリム５の領域Ｂに衝突する可能性がある。これは、例えば、エアバッグＧが自由に展開できない場合、すなわち運転手がステアリング軸Ｄの方向においてステアリングホイール５に接近し過ぎているような状況（ＯＯＰ状態）下で発生し得る。
【００８６】
領域Ｂに当たるエアバッグＧが確実に方向転換及び／又は偏向するように、すなわちエアバッグＧが、ステアリングホイールリム５、特にステアリングホイールリム５及び／又は領域Ｂに設けられたディスプレイ装置８を損傷しないようにするために、領域Ｂは、ステアリング軸Ｄに対して傾斜する偏向傾斜部を有する。当該傾斜は、エアバッグＧが領域Ｂに当って偏向する際の視射角にほぼ一致する入射角で領域Ｂに当るように構成されている。このことが、回転方向Ｒに対して交差する方向に環状にステアリングホイールリム５を取り囲む外周方向Ｕの可能な限り広い領域にわたって可能であるように、領域Ｂは、さらに凸状湾曲部を有している。
【００８７】
さらに、領域Ｂは、ハブ体６に面するとともに運転手に面している表面Ｏを有し、エアバッグＧが表面Ｏ上を容易に摺動可能であるように（低摩擦）形成されている。また、領域Ｂは、ディスプレイ装置８の周囲に限定され、ディスプレイ装置８に沿って回転方向Ｒ及び／又は外周方向Ｕに延在可能である。しかし、領域Ｂは、ステアリングホイールリム５及び／又はステアリング軸Ｄを回転方向Ｒに環状に取り囲んでもよい。
【００８８】
上述したように形成されるステアリングホイールリム５の領域Ｂは、ハブ体６に面するステアリングホイールリム５の内側Ｉに配置された、１つまたは複数のシェル要素Ｓ上に構成することが可能である。
【００８９】
ステアリング軸Ｄを含む切断面につき、これらのシェル要素Ｓは、ディスプレイ装置８の領域において、ステアリングホイールリム５の回転方向Ｒに離間した部分に沿ったディスプレイ装置８の輪郭からずれた輪郭を有している。しかし、ディスプレイ装置８の領域における輪郭は、ディスプレイ装置８から回転方向Ｒに離間しているステアリングホイールリム部分のその他の輪郭とほぼ完全に一致させることも可能である。シェル要素Ｓの代わりに、エアバッグＧを偏向するために対応して構成された領域Ｂを有するステアリングホイールリム５の発泡部分が、ディスプレイ装置８に沿ってステアリングホイールリム５上に設けられてもよい。
【００９０】
図１１に示されたシェル要素Ｓは、ハブ体６側にも運転手側にも面するシェル要素Ｓの領域Ｂにおいて、領域Ｂに面して対向するステアリングホイールリム５の領域よりさらに湾曲した凸状膨出部を有する。この場合、図１２とは異なり、図１１に示された断面Ｕ字形をしたシェル要素Ｓは、ステアリング軸Ｄの方向において領域Ｂと対向するシェル要素Ｓの領域よりも、領域Ｂの方が大きな湾曲を有する。その結果、図１１に示されたシェル要素Ｓは、ステアリング軸Ｄの方向においてステアリングホイールリム５より最大幅が小さいため、前記ステアリングホイールリムは、ステアリング軸Ｄの方向にシェル要素Ｓから突出する。
【００９１】
図１２に示されたシェル要素Ｓの変更例も、断面Ｕ字形、すなわち凸状に湾曲して形成され、ステアリング軸Ｄに対して交差する方向の軸に対して左右対称の構造である。前記シェル要素Ｓの最大幅は、ステアリング軸Ｄ方向におけるステアリングホイールリム５の最大幅と一致する。シェル要素Ｓの自由端において、ステアリングホイールリム５とは反対方向に面するシェル要素Ｓの外表面は、ステアリングホイールリム５の（外側に面する）外表面に面一に嵌め込まれ、接線方向に延在しているため、シェル要素Ｓとステアリングホイールリム５間の円滑な移行が確保される。これにより、エアバッグＧが領域Ｂに当接する際、エアバッグＧを損傷する恐れのあるエッジが最初から回避可能である。
【００９２】
シェル要素Ｓの両実施形態は、領域Ｂがステアリング軸Ｄに対して傾斜して（かつ、ステアリング軸Ｄに対して交差する方向に湾曲して）構成され、展開中のエアバッグＧの偏向及び／又は方向転換が確実に行なわれるように、膨出部を有することが重要である。図１１及び／又は図１２に示されたシェル要素Ｓの断面Ｕ字形の外形は、ほぼハブ体６に面する丸い先端部Ｋを有し、すなわち、ハブ体６に面した、断面外形の曲率が最大となる凸状湾曲領域を有し（シェル要素Ｓの断面Ｕ字形の外形が、例えば、半楕円形）、シェル要素Ｓの領域Ｂが、ステアリング軸Ｄ方向において前記先端部Ｋと運転手との間に配置されると有利である。その結果、展開中のエアバッグＧが領域Ｂを介してステアリング軸Ｄの方向に偏向可能となり、有利である。
【００９３】
さらに、シェル要素Ｓは、部分的又は完全にディスプレイ装置８を覆い、光学式ディスプレイ装置８の場合は、透明な構造であってもよい。あるいは、シェル要素Ｓは、ステアリングホイールリム５に配置されたディスプレイ装置８の左右にステアリングホイールリム５に沿って配置され、すなわち、ステアリングホイールリム５に沿ってディスプレイ装置８を囲んで配置されてもよい。したがって、図１１及び図１２のシェル要素Ｓが、領域Ｂにおいてステアリングホイールリム５から突出し、ステアリングホイールリム５に配置及び／又は挿入されたディスプレイ装置８を越えて、すなわちディスプレイ装置８と展開中のエアバッグＧとの間に突出するため、ディスプレイ装置８は保護される。当該保護機能は、ステアリング軸Ｄに対する領域Ｂの傾斜（領域Ｂは偏向斜面を形成する）、及び展開中のエアバッグＧの方向転換及び／又は偏向を確実にする領域Ｂの湾曲によって補助される。
【図面の簡単な説明】
【００９４】
【図１】公知の通信インターフェース、及び、ステアリングホイールリムに配置されたディスプレイ装置を有する本発明に係るステアリングホイールアセンブリの変更例が示された運転手の視線方向の斜視図である。
【図２】ステアリングホイールリムにＬＣＤ（ディスプレイ装置）が設けられた図２及び図３に示されたタイプの本発明に係るステアリングホイールアセンブリの平面図である。
【図３ａ】前方走行車両との車間距離が近すぎることについての警告用光信号を表示する図２に示されたタイプのディスプレイ装置（ＬＣＤ）である。
【図３ｂ】前方走行車両との車間距離が近すぎることについての警告用光信号を表示する図２に示されたタイプのディスプレイ装置（ＬＣＤ）である。
【図３ｃ】前方走行車両との車間距離が近すぎることについての警告用光信号を表示する図２に示されたタイプのディスプレイ装置（ＬＣＤ）である。
【図３ｄ】前方走行車両との車間距離が近すぎることについての警告用光信号を表示する図２に示されたタイプのディスプレイ装置（ＬＣＤ）である。
【図４ａ】隣りの車線を走る対向車との衝突の可能性を示す概略図である。
【図４ｂ】交差する車線を走る車両との衝突の可能性を示す概略図である。
【図４ｃ】同じ車線の前方を走行する車両との衝突の可能性を示す概略図である。
【図５】本発明に係るステアリングホイールアセンブリによって、運転手の注意が道路（前方視線方向）に向けられている場合の、自動車の運転席における運転手の斜視図である。
【図６】コーナリング速度警告のための光信号を表示するディスプレイ装置の詳細である。
【図７】一時停止の標識を無視しないように警告する光学警告信号を表示するディスプレイ装置の詳細である。
【図８】図２に示されたタイプのステアリングホイールアセンブリの変更例である。
【図９】図８に示されたタイプのステアリングホイールアセンブリの変更例である。
【図１０】展開中のエアバッグを偏向するための領域を有する本発明に係るステアリングホイールアセンブリのステアリングホイールの略断面である。
【図１１】図１０に示されたステアリングホイールのステアリングホイールリムの略断面である。
【図１２】図１１に示されたステアリングホイールリムの変更例の略断面である。
【図１】
2008526609.tif 000003
【図２】
2008526609.tif 000004
【図３ａ】
2008526609.tif 000005
【図３ｂ】
2008526609.tif 000006
【図３ｃ】
2008526609.tif 000007
【図３ｄ】
2008526609.tif 000008
【図４ａ】
2008526609.tif 000009
【図４ｂ】
2008526609.tif 000010
【図４ｃ】
2008526609.tif 000011
【図５】
2008526609.tif 000012
【図６】
2008526609.tif 000013
【図７】
2008526609.tif 000014
【図８】
2008526609.tif 000015
【図９】
2008526609.tif 000016
【図１０】
2008526609.tif 000017
【図１１】
2008526609.tif 000018
【図１２】
2008526609.tif 000019
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
ステアリングホイール（５ａ）と、
前記ステアリングホイール（５ａ）に配置され、自動車の少なくとも一つのパラメータを検出するために自動車に配置されるセンサ装置（Ｅ）と連動し、前記センサ装置（Ｅ）によって検出された前記パラメータを表示するディスプレイ装置（８）とを有し、
エネルギー及び／又は情報を転送または変換するための自動車の機能ユニットが、前記センサ装置（Ｅ）に連結され、
当該機能ユニットは、自動車のパラメータを調整するための候補を、前記ディスプレイ装置（８）を介して運転手に表示するように構成されるとともに、
自動車の作動ユニット（１７，１８，１９）が、前記機能ユニットに連動しており、前記機能ユニットの提示した候補に基づき、前記パラメータを調整することが可能であることを特徴とする自動車用のステアリングホイールアセンブリ。
【請求項２】
前記作動ユニット（１７，１８，１９）は、前記ステアリングホイール（５ａ）上に配置されていることを特徴とする請求項１に記載のステアリングホイールアセンブリ。
【請求項３】
前記作動ユニット（１７，１８，１９）は、前記作動ユニット（１７，１８，１９）を操作することによって、前記候補を承諾又は拒否するように構成されていることを特徴とする請求項１又は２に記載のステアリングホイールアセンブリ。
【請求項４】
前記機能ユニットは、走行制御装置として構成されていることを特徴とする請求項１から３のいずれか１項に記載のステアリングホイールアセンブリ。
【請求項５】
前記パラメータは、自動車の速度であることを特徴とする請求項１から４のいずれか１項に記載のステアリングホイールアセンブリ。
【請求項６】
前記候補は、前記センサ装置（Ｅ）によって検出された速度制限値を、承諾のために提示し、前記候補が承諾されれば、前記走行制御装置によって、自動車の速度を前記速度制限値に制限することを特徴とする請求項１から５のいずれか１項に記載のステアリングホイールアセンブリ。
【請求項７】
前記パラメータは、前方車両からの距離であることを特徴とする請求項１から４のいずれか１項に記載のステアリングホイールアセンブリ。
【請求項８】
前記候補は、前方車両からの距離を、承諾のために提示し、前記候補が承諾されれば、前記走行制御装置によって当該距離が一定に維持されるように自動車の速度を規制することを特徴とする請求項７に記載のステアリングホイールアセンブリ。
【請求項９】
前記センサ装置は、データベース、特にＧＰＳテータベースから前記パラメータの制限値を選択するように構成されていることを特徴とする請求項１から８のいずれか１項に記載のステアリングホイールアセンブリ。
【請求項１０】
前記センサ装置（Ｅ）の出力信号を前記ディスプレイ装置（８）へ伝送する伝送ユニット（Ｕ）を備えていることを特徴とする請求項１から９のいずれか１項に記載のステアリングホイールアセンブリ。
【請求項１１】
前記センサ装置（Ｅ）は、自動車の別のパラメータを検出するために構成されていることを特徴とする請求項１から１０のいずれか１項に記載のステアリングホイールアセンブリ。
【請求項１２】
前記ディスプレイ装置（８）は、前記別パラメータを表示するために構成されていることを特徴とする請求項１１に記載のステアリングホイールアセンブリ。
【請求項１３】
前記別パラメータは、自動車と自動車の周囲の物体との間の距離であることを特徴とする請求項１１又は１２に記載のステアリングホイールアセンブリ。
【請求項１４】
前記センサ装置（Ｅ）は、前記距離を駐車スペースの大きさに変換するように構成されていることを特徴とする請求項１３に記載のステアリングホイールアセンブリ。
【請求項１５】
前記センサ装置（Ｅ）は、自動車を駐車させるのに十分な広さの駐車スペースが、自動車の周囲にあるかどうかを検出するように構成されていることを特徴とする請求項１１から１４のいずれか１項に記載のステアリングホイールアセンブリ。
【請求項１６】
前記センサ装置（Ｅ）は、駐車スペースに関する情報を、前記ディスプレイ（８）を介して表示するように構成されていることを特徴とする請求項１１から１５のいずれか１項に記載のステアリングホイールアセンブリ。
【請求項１７】
前記機能ユニットは、前記センサ装置（Ｅ）に接続された電子制御装置として構成され、自動車を自動的に駐車させるように構成されていることを特徴とする請求項１１から１６のいずれか１項に記載のステアリングホイールアセンブリ。
【請求項１８】
前記ディスプレイ装置（８）は、音響ディスプレイとして構成されていることを特徴とする請求項１から１７のいずれか１項に記載のステアリングホイールアセンブリ。
【請求項１９】
前記ディスプレイ装置（８）は、触覚ディスプレイ（１２）として構成されていることを特徴とする請求項１から１７のいずれか１項に記載のステアリングホイールアセンブリ。
【請求項２０】
前記センサ装置（Ｅ）は、自動車のパラメータの制限値を検出するように構成されていることを特徴とする請求項１から１９のいずれか１項に記載のステアリングホイールアセンブリ。
【請求項２１】
請求項１から２０のいずれか１項に記載されたステアリングホイールアセンブリを有する自動車のパラメータを調整する方法であって、
前記センサ装置（Ｅ）によって自動車のパラメータを検出するステップと、
前記ディスプレイ装置（８）によって前記センサ装置（Ｅ）により検出されたパラメータを表示するステップとから成る方法。
【請求項２２】
前記パラメータは自動車の速度制限値であることを特徴とする請求項２１に記載の方法。
【請求項２３】
自動車の速度は、走行制御装置によって前記速度制限値に規制されることを特徴とする請求項２２に記載の方法。
【請求項２４】
前記センサ装置（Ｅ）によって検出された速度制限値の承諾は、前記ディスプレイ装置を介して前記走行制御装置によって運転手に提示されることを特徴とする請求項２２及び２３のいずれかに記載の方法。
【請求項２５】
前記パラメータは、自動車のエンジンの回転速度であることを特徴とする請求項２１に記載の方法。
【請求項２６】
自動車の変速機のギアは、別のパラメータとして検出されることを特徴とする請求項２５に記載の方法。
【請求項２７】
前記ギア及び回転速度に応じて、使用すべきギアが自動的に提示され、前記ディスプレイ装置（８）を介して表示されることを特徴とする請求項２５及び２６のいずれかに記載の方法。
【請求項２８】
自動車の別のパラメータが、前記センサ装置（Ｅ）によって検出されることを特徴とする請求項２１に記載の方法。
【請求項２９】
自動車と自動車の周囲の物体との間の距離が、パラメータとして検出されることを特徴とする請求項２８に記載の方法。
【請求項３０】
前記距離が、自動的に駐車スペースの変数に変換されることを特徴とする請求項２９に記載の方法。
【請求項３１】
空いた駐車スペースが、前記センサ装置（Ｅ）によって特定及び計測され、自動車を駐車させるのに十分な広さであるかが自動的に検証され、かつ駐車スペースに関する情報が、前記ディスプレイ装置（８）を介して運転手に表示されることを特徴とする請求項２８から３０のいずれか１項に記載の方法。
【手続補正２】
【補正対象書類名】明細書
【補正対象項目名】全文
【補正方法】変更
【補正の内容】
【発明の詳細な説明】
【技術分野】
【０００１】
本発明は、自動車用ステアリングホイールアセンブリに関する。
【背景技術】
【０００２】
この種の自動車用ステアリングホイールアセンブリは、一般的にステアリング軸の周りに回転自在に取付けられたハブ体を備える少なくとも一つのステアリングホイールを有し、ハブ体は、少なくとも一つのスポークを介してステアリングホイールリムに接続され、ステアリングホイールリムは、ハブ体及び／又はステアリング軸を少なくとも部分的に（ステアリング軸に対して交差する方向に）取り囲んでいる。この場合、特に、ステアリングホイールリムは、ハブ体を環状に取り囲むように構成されている。
【発明の開示】
【発明が解決しようとする課題】
【０００３】
本発明の目的は、自動車の快適性及び安全性を高める自動車用ステアリングホイールアセンブリを提供することである。
【課題を解決するための手段】
【０００４】
この目的は、請求項１に記載された特徴を有するステアリングホイールアセンブリによって達成される。
【０００５】
本発明によれば、ステアリングホイールアセンブリ（ステアリングホイール組立体、ステアリングホイール構造体または操舵輪組立体ともいう）は、ステアリングホイール及びステアリングホイールに設けられたディスプレイ装置を有する。ディスプレイ装置は、自動車の少なくとも一つのパラメータを検出するために自動車に設けられるセンサ装置と連動し、センサ装置によって検出されるパラメータを表示するように設けられている。エネルギー及び／又は情報を転送又は変換するための自動車の機能ユニットが、センサ装置に連結され、自動車のパラメータを調整するための候補（提案）を、ディスプレイ装置を介して運転手に表示するように構成されている。また、自動車の作動ユニットは、機能ユニットに連動し、機能ユニットの提示した候補に従ってパラメータを調整することが可能である。
【０００６】
このように構成することよって、本発明に係る目的は、有利に達成される。本発明に係るステアリングホイールアセンブリにおいて、すなわち、ステアリングホイール上にディスプレイ装置を配置することによって、パラメータは、運転手の連続した視野の中に表示され、その結果、ディスプレイは、常に大変容易に目視できるため、ディスプレイ装置を見ることによって、運転手の注意が周囲の交通状況から逸れることはほとんどない。このことは、全体として自動車の快適性及び安全性の向上につながる。これらの効果は、ステアリングホイール及び、ステアリングホイールに配置されたディスプレイ装置を有するステアリングホイールアセンブリによって実現される。更に、このディスプレイ装置は、自動車のパラメータを検出するために自動車に設けられるセンサ装置と連動し、センサ装置によって検出されたパラメータを表示するように構成されている。基本的にセンサ装置に任意に連結される機能ユニットにより更なる効用が奏される。
【０００７】
センサ装置によって検出し得るパラメータは、例えば、外部で予め設定されたパラメータの制限値と、センサ装置によって検出し得るパラメータを含んでいる。機能ユニットとは、例えば、自動車の速度を速度制限値（制限速度）に規制するための走行制御装置や、エンジンの現在の回転速度や自動車の変速機の現在のギアに応じて使用すべきギアを検出する電子評価装置などである。同様に、走行制御装置によって、自動車の速度を、前方車両との所定の車間距離（安全距離）に合わせることができるようにしてもよい。また、同様に、この機能ユニットは、自動車を自動的に駐車させるように構成された電子制御装置であってもよい。
【０００８】
機能ユニットを作動（始動、停止及び調整）するための作動ユニットは、ステアリングホイール上に配置されることが好ましい。ステアリングホイールは、例えば、ステアリング軸の周りに回転自在に取付けられたハブ体を有し、ステアリング軸に交差する方向にハブ体を少なくとも部分的に取り囲むステアリングホイールリムは、少なくとも一つのスポークを介してハブ体に固定されている。したがって、作動ユニットは、ハブ体だけでなく、スポークやステアリングホイールリムに配置されてもよい。運転手がステアリングホイールから手を離さなくても作動させることができるように、ステアリングホイールに配置されていると有利である。
【０００９】
パラメータの調整は、パラメータの確認又は変更を含み、作動ユニットを操作することによって候補を承諾及び拒否するように構成されている作動ユニットによって行なわれることが好ましい。例えば、センサ装置によって検出された（例えば、外部で予め設定された）現在の速度制限値が提示された場合、運転手は、作動ユニットの単一作動によってこの制限値を承諾、拒否又は調整できる。すなわち、提示された速度制限値を増加及び／又は低減させ、あるいは随意に、直ぐに又は後で、その制限値を承諾することもできる。
【００１０】
本発明の変更例においては、機能ユニットは、作動ユニットが候補の効果的な承諾のために作動されなければならない所定の時間制限を設けている。
【００１１】
本発明に係る前述の手段により、運転手は自動車を快適かつ安全に運転できるが、このような人と機械のインターフェイスの設計によって、運転手の個人責任が削減されることはない。
【００１２】
本発明の特に好ましい実施形態においては、機能ユニットは、走行中の自動車の現在の速度（パラメータ）を、速度制限値（制限速度）に規制する走行制御装置として構成されている。本発明の変更例においては、走行制御装置は、自動車の速度をディスプレイ装置によって表示された速度制限値に規制することが好ましい。言い換えれば、走行制御装置は、現在の（規定の）制限速度に対応したほぼ一定の速度をもたらす。
【００１３】
センサ装置によって検出された速度制限値が、乗員の承諾を得るために候補として提示され、この候補が承諾されれば、自動車の速度は、走行制御装置によって速度制限値に規制されることが好ましい。
【００１４】
本発明の別の変更例においては、パラメータは前方車両との車間距離である。この前方車両との車間距離が、機能ユニット（走行制御装置）の提示する候補として承諾を得るために提示され、その候補が承諾されれば、前方車両との距離がほぼ一定に維持されるように、走行制御装置によって自動車の速度規制が行われることが好ましい。
【００１５】
ディスプレイ装置によって表示された速度制限値（制限速度）を採用するには、特に作動ユニットの単一作動だけで十分である。例えば、前記作動ユニットは、押しボタン式スイッチとして構成され、一回押すだけで、走行制御装置を作動させる、かつ／又は、ディスプレイ装置によって表示された速度制限値を確認することができる。
【００１６】
このようにして、走行制御装置は、楽に作動させることができ、同時に、運転手の視野に制限速度を表示することによって、運転手の注意が交通状況から逸れることはなく、全体として自動車の安全性が高まる。
【００１７】
本発明の変更例においては、機能ユニットは、作動ユニットによって起動可能な許容範囲、すなわちパラメータが、パラメータの制限値を下回る、かつ／又は上回ることを想定した許容範囲を設けるようになされている。
【００１８】
センサ装置は、車両の周囲のディスプレイからパラメータの（現在の）制限値を読み取るように構成されていることが好ましい。さらに、センサ装置は、データベース、特にＧＰＳデータベースからパラメータの制限値を選択するように構成されていることが好ましい。
【００１９】
パラメータとして自動車の速度を速度制限値に制限及び／又は規制する走行制御装置である機能ユニットによって、ステアリングホイールアセンブリの現在の所定の速度制限値が、例えば、光センサ（例えば、デジタルカメラ）によって道路標識又は他の表示から読み取られる。本発明の別の変更例においては、センサ装置は、パラメータの制限値（例えば、規定の制限速度）を自動車の周囲に配置されたデータ・ストアから選択するように構成されている。さらに、パラメータの制限値（例えば、規定の制限速度）は、ＲＦＩＤ（無線ＩＣタグ）によってステアリングホイールアセンブリへ転送されてもよい。例えば、自動車に配置されたセンサ装置によって選択可能なトランスポンダの設置地点において予め設定された速度制限値を記憶する記憶媒体として、自動車の周囲に設けられた固定式トランスポンダを介して転送可能である。
【００２０】
本発明の別の形態においては、センサ装置の出力信号をディスプレイ装置に伝送する伝送ユニットが設けられている。
【００２１】
本発明の好ましい変更例においては、パラメータとして、現在のエンジンの回転速度及び／又は自動車の変速機のギアが、センサ装置によって検出されるように構成されている。好ましくは、機能ユニットによって検出された使用すべきギアに関する候補を運転手が承諾すると、自動変速機を有する自動車の場合、提示されたギアが自動的に入る。
【００２２】
本発明の変更例においては、機能ユニットは、ディスプレイ装置に接続された電子評価装置として構成され、少なくとも現在の回転速度及び現在のギアに応じて、使用すべきギアに関する候補を決定し、ディスプレイ装置を介して当該候補を運転手に表示するように構成されている。
【００２３】
本発明の別の変更例においては、センサ装置は、好ましくはディスプレイ装置によって表示可能な、自動車のさらに別のパラメータを検出するように構成されている。このパラメータは、自動車と自動車の周囲の物体との間の距離であることが好ましい。
【００２４】
センサ装置は、距離を駐車スペースの大きさに変換するように構成されていることが好ましい。これに関連して、センサ装置は、自動車を駐車させるのに十分な広さの駐車スペースが、自動車の周囲にあるかどうかを検出するように構成されていることが好ましい。さらに、センサ装置は、ディスプレイ装置を介して駐車スペースの情報を表示するように構成されることが好ましい。
【００２５】
本発明の変更例においては、機能ユニットは、センサ装置に接続された電子制御装置として構成され、自動車を自動的に駐車させるように構成されている。
【００２６】
本発明の一つの実施形態においては、ディスプレイ装置は、ステアリングホイールのステアリングホイールリム上に配置され、少なくとも一部がステアリングホイールのステアリング軸を（ステアリング軸に対して交差する方向に）取り囲んでいる。ディスプレイ装置は、（自動車に装着されたステアリングホイールの状態に対して）ステアリングホイールの直進運転位置において、垂直車両軸方向におけるステアリング軸上方に、すなわち、１２時の位置に配置される。ディスプレイ装置は、ステアリングホイールリムの直進運転位置においてステアリングホイールリムの垂直車軸方向の最上部に配置されるように、ステアリングホイールリム上に配置されていることが好ましい。これにより運転手は、ディスプレイ装置を見るために、（車両長手方向軸に対して平行な）前方視線方向に対して僅かに視線の方向を変えるだけでよいため、ディスプレイ装置は、運転手によって特に容易に目視可能となる。このようにディスプレイ装置は、常に運転手の視野の中にあるため、運転手はディスプレイ装置に集中していなくても、単純な（明解な）光学的信号を常に目視することが可能になる。
【００２７】
本発明の別の変更例においては、ステアリングホイール上に配置された少なくとも一つの検出装置は、自動車運転手の集中状態（集中の度合い、または注視状態ともいう）を検出するために設けられ、検出された運転手の集中状態に応じてディスプレイ装置を作動させる。
【００２８】
運転手の注視状態は、計測される、すなわち異なった指標を用いて分類可能である。この指標とは、例えば、運転手の視線方向であり、特に、視線の方向が直進運転方向からどのくらいの間（時間的に見て）逸れているのかということが重要である。これは、検出装置によって検出可能である。
【００２９】
本発明の特に好ましい変更例においては、検出装置は、例えば運転手の視線方向を検出するために、カメラ（例えば、デジタルカメラ）として構成されている。カメラによって検出された詳細な画像は、適切な画像認識ソフトによって評価される。あるいは、検出装置は、光センサ（例えば、光送信機と光受信機とを組み合わせたもの）であってもよい。
【００３０】
検出装置は、ディスプレイ装置に隣接して配置されることが好ましい。運転手が、一般的にディスプレイ装置、特に光学式ディスプレイの場合は、その機能を制限しないようにディスプレイ装置を手で覆わないようにするので、結果的に、自動車運転時に検出装置が運転手の手によって覆われる確率が減少するため有利である。
【００３１】
本発明の変更例においては、検出装置がステアリングホイールリム上に配置されるように構成されている。検出装置は、例えば、カメラとして、ステアリングホイールの直進運転位置において、垂直車両軸方向におけるステアリング軸上方に、すなわち、１２時の位置に配置されることが特に好ましい。
【００３２】
ディスプレイ装置は、少なくとも２つのディスプレイ要素（例えば、スクリーン及びそれに隣接するＬＥＤ領域）を有することが好ましく、複数のＬＥＤ領域を有することも可能である。検出装置は、ステアリングホイールリムに沿って、すなわち、少なくとも２つのディスプレイ要素の間のステアリングホイールリムの回転方向に配置されることが特に好ましい。
【００３３】
この場合、検出装置と、ステアリングホイールリムに沿って配置されたディスプレイ装置の少なくとも２つのディスプレイ要素の相互間の距離は、２つのディスプレイ要素のうち少なくとも一方の、ステアリングホイールリムに沿った（すなわち、ステアリングホイールリムの回転方向の）幅よりも狭いことが好ましい。このように、検出装置は、２つのディスプレイ要素の少なくとも一方から回転方向に僅かな間隔しか空けて配置されていない。
【００３４】
本発明の別の変更例においては、複数の検出装置として、特にカメラ（例えば、デジタルカメラ）が設けられている。検出装置は、検出装置のうち少なくとも一つが、ステアリングホイールの位置に関係なく、垂直車両軸方向におけるステアリング軸上方に配置されるように、ステアリングホイールリムに沿って配置されることが好ましい。
【００３５】
一つの検出装置及び／又はその他の検出装置は、運転手の集中状態（注視状態）に応じて、例えば、シートランプ又は電動式安全ベルトなどの他の警告装置及び／又は安全装置を制御するのに用いることも可能である。
【００３６】
本発明の変更例においては、ステアリングホイールは、ステアリング軸周りに回転可能であるとともに、少なくとも一つのスポークを介してステアリングホイールのステアリングホイールリムに接続されているハブ体を有する。少なくとも一つのディスプレイ装置を有するステアリングホイールリム領域が設けられていることが好ましい。
【００３７】
エアバッグは、運転手を保護するために、ステアリング軸に沿った主展開方向に展開し、展開時にステアリング軸に対して交差する方向にステアリングホイールリムの領域に衝突する可能性がある。このステアリングホイールリムの領域は、ステアリングホイールリムとエアバッグ、および、特にディスプレイ装置を主展開方向に保護するためにエアバッグが偏向されるように、エアバッグと連動することが好ましい。
【００３８】
展開中のエアバッグを偏向するための領域は、偏向斜面を有する、すなわちステアリングホイールのステアリング軸と合致するエアバッグの主展開方向に対して、部分的に傾斜していることが好ましい。傾斜は、エアバッグが、偏向時の角度（視射角）と同じ角度（入射角）で領域に当るように構成される。両角度は、展開時にエアバッグが衝突するステアリングホイールリムの衝突領域に対して垂直な垂線に対して計測される。
【００３９】
さらに、展開中のエアバッグを偏向するための領域は、摩擦係数の低い表面を有することが好ましく、また、この摩擦係数は、ステアリングホイールリムの隣接領域の摩擦係数より低いことが望ましい。したがって、この表面は、表面とエアバッグとの間の摩擦が出来る限り低く、エアバッグが当該領域上を容易に摺動可能なように形成されていることが必要である。エアバッグ構成材に応じて、エアバッグが摺動する領域の表面は、例えば円滑面として構成可能である。
【００４０】
上記したようなエアバッグを偏向するステアリングホイールリムの領域の形状（及び／又は当該領域の表面の性質）は、展開中のエアバッグから、ステアリングホイールリムやディスプレイ装置を保護するだけでなく、エアバッグ自体を保護して、自動車の安全性をさらに高める。
【００４１】
ディスプレイ装置は、光学式ディスプレイとして構成されることが特に好ましい。この場合、光学式ディスプレイは、少なくとも一つのＬＥＤ（発光ダイオード）を有することが好ましい。
光学式ディスプレイは、さらに複数のＬＥＤによって形成され、ＬＥＤ領域を有することが好ましい。ＬＥＤ領域のＬＥＤは、（ＬＥＤの数に対応して）図示記号を表示できるように作動させることが可能である。このようなＬＥＤ領域は、直線状に構成することも可能である。
【００４２】
本発明の特に好ましい変更例においては、光学式ディスプレイは、少なくとも一つのスクリーンを有し、当該スクリーンは、ＬＣＤ（液晶ディスプレイ）であることが好ましい。しかし、他のディスプレイ技術を用いてもかまわない。
【００４３】
他の変更例においては、ディスプレイ装置は、音響ディスプレイ又は触覚ディスプレイとして構成されている。当然、光学式、音響式及び触覚式ディスプレイを互いに組み合わせることも可能である。触覚ディスプレイは、例えば、好ましくは、ステアリングホイールリムに配置される振動装置である。当該触覚ディスプレイは、あらゆるグリップ位置で感じられるように、ステアリングホイールリムを環状に（ステアリングホイールリムに沿ってステアリングホイールリムの回転方向に回転可能に）取り囲む。触覚ディスプレイは、人、特に運転手と絶えず接触する自動車の領域（ステアリングホイール、座席など）に配置されていると有利である。
【００４４】
本発明の他の形態として、自動車のパラメータを規制する方法が構成される。当該方法によれば、自動車のパラメータがセンサ装置によって検出され、検出されたパラメータがディスプレイ装置によって表示される。好ましくは、速度制限値が自動車のパラメータとして検出される。
【００４５】
自動車の速度は、走行制御装置によって速度制限値に規制されることが好ましく、走行制御装置は、ステアリングホイール領域に配置された作動ユニットを作動させることによって作動可能となる。
【００４６】
現在有効な速度制限値（制限速度）が、例えば、データベースから光センサ等によって能動的に検出される。この検出された速度制限値は、（速度に関する）候補としてディスプレイ装置を介して運転手に表示され、運転手は、作動ユニットによって、例えば、単一のボタン操作を介して前記候補を承諾（承認）することができる。結果的に、走行制御装置は、自動車の速度をこの制限速度に規制し、再度、ディスプレイ装置を介して最新の制限速度に対応する候補を表示する。さらに、表示された制限速度は、作動ユニットを介して拒否及び／又は変更されてもよい。
【００４７】
この方法の他の変更例においては、自動車エンジンの回転速度は、パラメータとして検出され、好ましくは、走行時の自動車の変速装置の現在のギアがさらに別のパラメータとして検出される。
【００４８】
この方法の好ましい変更例は、さらに、少なくとも、自動車の走行時に使用されるギア及び現在の回転速度に応じて、使用すべきギアが、自動的に提示され、ディスプレイ装置を介して表示されるようになされている。
【００４９】
他の変更例においては、自動車の別のパラメータが、センサ装置によって検出され、好ましくは自動車と自動車の周囲の物体との間の距離がパラメータとして検出される。
【００５０】
好ましくは、自動的に検出される距離は、駐車スペースの変数に変換される。換言すれば、センサ装置によって、駐車場所（駐車スペース）の大きさ、及び／又は、駐車スペースが当該車両を停車すなわち駐車するのに十分な大きさかどうかが検出される。この駐車スペースとは、例えば、道路沿いに駐車されている２台の車両の間の駐車スペースである。センサ装置は、通過走行時に、道路沿いの２台の車両の間の距離を検出可能であり、駐車スペース（駐車場所）の大きさを自動的に判定及び／又は推定可能である。
【００５１】
本発明に係る方法の好ましい形態として、空いた駐車スペースが、センサ装置によって特定及び計測され、駐車スペースが自動車を駐車するだけの十分な広さがあるか自動的に検証されるように構成される。さらに、ディスプレイ装置を介して、特にその駐車スペースが自動車を駐車するのに十分な大きさであるかどうかといった検出された駐車スペースに関して、検出された情報が、運転手に対して表示される。これに関連して、センサ装置は、平均的な車両運転手が駐車するのに必要とするスペースも考慮する。また、センサ装置が、自動車を駐車スペースへ入れる方法を自動的に計測し、これがディスプレイ装置を介して運転手に表示される態様も考えられる
【００５２】
これにより自動車の快適性が改善される。さらに、自動車と自動車の周囲の物体との間の距離に関する本発明に係る検出によって、駐車スペースの大きさを認識することにより、隣接する物体との衝突の危険性が減少するため、確実に駐車することが可能となる。
【００５３】
本発明については、センサ装置を他の機能にも使用可能である。換言すれば、特定（既定）の閾値速度を超える通常の直進運転時に、センサ装置は、前方走行中又は接近中の車両及び／又は障害物からの距離を検出し、衝突警告装置（例えば、光学、音響及び／又は触覚ディスプレイ）を作動させるために使用してもよい。一方、基準速度を下回る速度での低速走行時には、同様のセンサ装置を、自動車の可能な駐車スペースを検出及び計測するために使用してもよい。
【００５４】
本発明の更なる詳細及び利点は、図面を参照しつつ、実施形態に関する以下の記述により明らかにされる。
【発明を実施するための最良の形態】
【００５５】
図２は、ステアリングホイールリム５と、３つのスポーク７を介してステアリングホイールリム５に接続されているハブ体６とを有するステアリングホイール５ａを有するステアリングホイールアセンブリ（ステアリングホイール組立体、構造体ないし操舵輪組立体ともいう）４の平面図である。
【００５６】
ハブ体６は、図面の面方向に対して垂直なステアリング軸Dを中心に回転可能に取付けられているとともに、ステアリング軸Dに交差する方向に形成された環状のステアリングホイールリム５によってステアリングホイールリム５の回転方向Rに囲まれている。３つのスポーク７は、ステアリングホイールリム５の直進運転位置において（ステアリングホイール５ａの装着状態に対して）、ほぼＴ字形に構成されている。３つのスポーク７のうちの一つは、ほぼ垂直車軸Ｚ方向に延在し（ステアリングホイール５ａは、垂直車軸Ｚに対して傾斜してもよく、かつ／又は、調整可能な傾斜を有してもよい）、他の二つのスポーク７は、ハブ体６から両方向に水平に突出し、直進運転位置に対して、ステアリングホイールリム５をステアリング軸Ｄより上方に延在する上半分とステアリング軸Ｄより下方に延在する下半分とに区分している。
【００５７】
ステアリングホイールアセンブリ４は、交通関連情報を表示するための光学式ディスプレイであるディスプレイ装置８を有する。ディスプレイ装置８の第１ディスプレイ要素は、矩形スクリーン３、すなわち液晶ディスプレイ（ＬＣＤ）として構成される。液晶ディスプレイ（ＬＣＤ）は、図２に示されたステアリングホイールリム５の直進運転位置において、ステアリングホイールリム５の上半部、つまり、ステアリングホイールリムの直進運転位置に対してステアリングホイールリム５の（垂直車軸Ｚに対して）ほぼ最上部、すなわち１２時の位置に配置される。この場合、スクリーン３は、運転手に面して配置されたステアリングホイールリム５の上面に嵌め込まれ、車両の長軸Ｘ方向に運転手と対向して向かい合うように配置されている。
【００５８】
スクリーン３は、それぞれ５つのＬＥＤ領域２から構成されたディスプレイ装置８の二つの別のディスプレイ要素の間に、ステアリングホイールリム５に沿って、すなわち、ステアリングホイールリム５の回転方向に配置されている。ＬＥＤ領域２は、回転方向Rに長手状に（直線状に）延在する構成であり、ステアリングホイールリム５の直進運転位置において、垂直車軸Ｚ方向に重ねて配置され、ステアリングホイールリム５の外周縁部９に向かうにつれて（回転方向に）幅広になるように構成されている。すなわち、回転方向RのＬＥＤ領域２の長さは、ステアリングホイール５ａのハブ体６から径方向に離れるとともに長くなるように構成されている。
【００５９】
図８は、図２に示されたステアリングホイール５の変更例を示す平面図である。図２とは異なり、湾曲形状の別のＬＥＤ領域１が、ステアリングホイールリム５の外周縁部９に沿って（回転軸Ｄに垂直な径方向に）、すなわちステアリングホイール５のほぼ上半部全体にわたって延在している。ＬＥＤ領域１は、回転方向Ｒにほぼ同じ長さの３つのセグメント１ｂ，１ａ及び１ｃに分割されている。中央セグメント１ａは、（ステアリングホイールリム５の直進運転位置において）スクリーン３及びＬＥＤ領域２（スクリーン３の回転方向Ｒの両側にそれぞれ４つ配置されている）の垂直車軸Ｚ方向上側に配置されている。これらセグメント１ａ，１ｂ及び１ｃは、別々に作動して交通関連情報を表示することが可能である。
【００６０】
図９は、図８に示されたステアリングホイールアセンブリ４の別の変更例である。図８とは異なり、スクリーン３が設けられておらず（勿論、このスクリーン３をここで使用してもよい）、このＬＥＤ領域１は、中央セグメント１ａだけを用いている。さらに、カメラ１０が設けられていないが、ここに設けてもよい。さらに、互いに離間するＬＥＤ領域２の両側に追加ＬＥＤ領域１１がそれぞれ配置され、ステアリングホイールリム５の上面に回転方向Ｒに対して交差する方向に設けられている。これらの追加ＬＥＤ領域１１は、別々に作動し、特に、車両が車線から（進行方向に対して交差する方向に）逸れたことを示す警告信号を表示することが可能である。例えば、車両が、（進行方向の）右側の車線表示を越えて車線から逸れた場合、そのことがセンサによって確認され、電子制御装置に伝達される。これに応じて、ステアリングホイールリム５の（進行方向に対して）右側に設けられた追加ＬＥＤ領域１１の一つが作動される。車両が車線から逸れた程度によって、別の追加ＬＥＤ領域１１がステアリングホイールリム５の右側で作動可能である。
【００６１】
運転手は、周りの交通状況及び周辺状況を見る際に、集中した状態にあると考えられる。図２ないし図８に示すように、運転手の集中状態を検出するために、検出装置１０としてのカメラが、スクリーン３と、重ねて配置されたＬＥＤ領域２との間の回転方向Ｒ、言い換えれば（運転手から見て）直進運転方向に対してスクリーン３の右側に配置されている。
【００６２】
運転手の集中状態に関する重要な指標には、例えば、視線方向や目の位置がある。この場合、注視状態は、例えば、（前方の道路利用者を見る）前方視線方向からの視線方向の逸れ、及び／又は、目の位置（開閉）によって区分できる。視線方向や目の位置をカメラ１０で検出し、ディスプレイ装置８の前述のディスプレイ要素の制御に使用することができる。
【００６３】
ディスプレイ装置８のディスプレイ要素は、（例えば、運転手の目が既定の時間以上閉じられ、ないし運転手の視線方向が前方視線方向から特定の時間以上逸れた場合）運転手に注意力が低下したことを警告するために作動されるように構成されている。
【００６４】
ディスプレイ要素によって発せられる警告信号の視認性を高めるために、特に、ＬＥＤ領域２又はＬＥＤ領域１は、異なった頻度、及び／又は、強度（明るさのレベル）で点灯するように構成されている。別の又は更なる方法としては、スクリーン３を使って言語ないし記号を表示して運転手に警告することも可能である。
【００６５】
さらに、触覚信号を用いて運転手に警告を発するようにしてもよく、図２によれば、ステアリングホイールリム５に設けられた振動装置１２によって発生させることができる。振動装置１２によって発せられる触覚信号が運転手のあらゆるグリップ位置において感じられるように、振動装置１２は、ステアリングホイールリム５上の回転方向Rに分散配置されるか、又はステアリングホイールリム５の全周にわたって回転方向Rに延在する。そのような振動装置１２は、運転手用の自動車シートに用いることも可能である。ステアリングホイールリム５に配置された振動装置１２としての触覚ディスプレイを用いて、特に車線の側方に逸れていることを運転手に警告する。また、当然、音響信号を用いて運転手に警告を発するようにすることも可能である。
【００６６】
ステアリングホイールアセンブリ４のディスプレイ装置８は、ステアリングホイールリム５上に設けられているため、常に運転手の視野の中に存在している。図１に示されているようなダッシュボード下方の中央コンソールに設けられた公知の通信インターフェース１３を有する従来のカーナビを使用する場合、通信インターフェース１３（光学式ディスプレイと操作ユニットの組み合わせ）は、運転時間のおよそ１８％の間しか見ていないことが知られている。一方、平均的な運転手は、運転時間のおよそ７２％の間、直進運転方向（前方視線方向）を見ているため、ステアリングホイールアセンブリ４のディスプレイ装置８は、運転時間のおよそ７２％の間、運転手の視野の中にある。この結果、危険な状況において、運転手が、ディスプレイ装置８を介して警告や情報を得やすいと同時に、ディスプレイ装置８は、公知の中央通信インターフェース１３よりもさらに視野の中央に取り付けられているため、注意が周囲の交通状況から逸れることが少なくなる。したがって、運転手への適時な警告によって、事故を回避、ないし一層効果的に削減することが可能である。
【００６７】
さらに、ステアリングホイールアセンブリ４のディスプレイ装置８は、図１に示される公知のＨＵＤ１６（ヘッドアップディスプレイ、すなわち自動車のフロントガラス上に投影された表示）に対して、環境の影響（例えば、直進運転方向と反対方向の直達日射）による機能低下が少ないという利点がある。
【００６８】
さらに、図２に係るステアリングホイールアセンブリ４は、作動ユニット（図８及び９には図示されていない）を有する。この場合、この作動ユニットは、２つの作動レバー１７であり、運転手によって（例えば、親指で押して）長手方向車両軸Ｘの方向に作動されるようにステアリングホイールアセンブリ４の水平方向に延在するスポーク７上にそれぞれ構成配置されている。当該作動レバー１７によって、例えば、自動車の運転方向指示器を作動及び／又は停止させることができる。また、２つの水平方向に延在するスポーク７（ステアリングホイールリム５の直進運転位置に対して水平）は、それぞれ一つのロッカ状（揺動状ともいう）の作動要素１８を有し、当該作動要素１８は、対向する両端部上で、つまり長手方向車両軸Ｘの方向に押圧することにより作動可能である。このように、スクリーン３上に表示されるメニューから、例えば、選択領域（カーソル）を、２つの作動要素１８のうちの一方によって上方及び／又は下方に（ステアリングホイールリム５の直進運転位置において垂直車軸Ｚ方向に）移動（スクロール）させることにより選択が可能である。一方、他方の作動要素１８によって、（ステアリングホイールリム５の直進運転位置において運転手から見て）選択領域を左及び／又は右へ移動させることが可能である。
【００６９】
さらに、２つの水平スポーク７には、それぞれ簡単な押しボタン式スイッチ１９が配置されている。２つの押しボタン式スイッチ１９の一方は、特定の選択肢を確認するのに用いられることが好ましく、他方は、ディスプレイ装置８によって表示された選択又はオプションを拒否するのに使われる。
【００７０】
ステアリングホイールアセンブリ４につき、図２，８及び９における鉛直方向に積み重なるように配置されたディスプレイ装置８のＬＥＤ領域２は、衝突警報及び／又は距離信号として用いられることが好ましい。これに関連して、少なくとも３つのそれぞれ異なる態様がある。第１に、図４ｃに示されているように同じ車線上に前方車両１５がある場合、当該車両１５との距離が、図３ａから３ｄに示されているように、ＬＥＤ領域２によって表示可能である。すなわち、特定の車間距離以下になると、最初に、ハブ体６に近い方に位置するスクリーン３の両側のＬＥＤ領域２が作動し（図３ａ）、そして更に車間距離が縮まると、（ステアリングホイールの直進運転位置に対して）垂直車軸Ｚ方向上方に重ねて配置されたＬＥＤ領域２（図３ｂ、３ｃ）が順次作動する。衝突の深刻な危機に至った場合には、（ステアリングホイールリム５の直進運転位置に対して）垂直車軸Ｚ方向において最上段のＬＥＤ領域２（図３ｄ）、及び／又は、図８又は９に示されたタイプのステアリングホイール５の場合は、好ましくはステアリングホイールリム５の最も外側の外周縁部９に設けられた別のＬＥＤ領域１が作動する。最上段のＬＥＤ領域２及び／又は別のＬＥＤ領域１は、運転手に対する前述の警告として赤色光を伝送する構成となっていることが好ましい。
【００７１】
そのような衝突警報は、図４ａのように、隣接する車線からステアリングホイールアセンブリ４を有する自動車１４の走行車線へ車線変更する対向車２０の場合にも表示される。さらに、そのような警報信号は、図４ｂのように、自動車１４の車線と交差する車両２１との側面衝突の恐れのある場合にも作動する。
【００７２】
コーナリング速度警報も、スクリーン３を介して表示される。この場合、センサシステムが、前方のカーブの湾曲を測定し、それを基にカーブで危険を犯さず通過可能な最大速度を算出する。自動車の速度が、この速度を超すと、コーナリング速度警報が、例えば、図６のような絵文字として作動する。
【００７３】
また、情報、例えば、カーナビによって探索される走行ルートは、ステアリングホイールアセンブリ４のスクリーン３を介して表示してもよい。特に、進路変更する前に、スクリーン３を介して、例えば、図２に示すように、これから先の走行方向を示す矢印を表示することによって、進行方向の変更を表示することが可能である。
【００７４】
さらに、センサシステム（例えば、カメラ）が、自動車の周囲の一時停止の道路標識を確認するように構成される。この一時停止の道路標識が、図７に示すように絵文字としてスクリーン３上に表示される。この場合、任意に、例えば、別のＬＥＤ領域１又はＬＥＤ領域２の一つを介してブレーキ警告が表示される。この目的のために、別のＬＥＤ領域１、及び／又はＬＥＤ領域２の一つは、赤色光を伝送するように構成されていることが好ましい。
【００７５】
ディスプレイ装置８、特にスクリーン３は、当然、自動車のタンクのガソリン量や自動車のタイヤの空気圧を表示するのに用い、及び／又は、タイヤの空気圧不足及び／又はガソリン不足の場合には、対応する警告及び／又は指示を表示する働きを有してもよい。有利には、スクリーン３を介して運転手にシートベルトの装着を促すことも可能である。
【００７６】
図２及び８に係る構成の有利な点として、伝送ユニットＵ（図８には示されていない）によってステアリングホイールアセンブリ４へ伝送された自動車の速度制限値（制限速度）を、スクリーン３を介して示すことができる。当該速度制限値は、この目的のために自動車の内側または外側に配置されたセンサ装置Ｅによって検出可能である。したがって、センサ装置Ｅは、走行ルート沿いに設けられた標識から光センサによって速度制限値を読み取る。別のあるいは追加的な方法としては、センサ装置Ｅが、速度の現行制限値に関する情報が蓄積されたＧＰＳデータベースから速度の現行制限値を選択するように構成される。
【００７７】
センサ装置Ｅによって検出された現在の速度制限値は、スクリーン３を介してまず運転手に表示される。そこで、運転手は、提示されたこの速度制限値を承諾して走行制御装置に移管し、その結果、走行制御装置によって、車両速度を承諾した速度制限値に制限及び／又は規制するか、それともこの検出された現在の速度制限値を拒否するかを決定することが可能である。
【００７８】
走行制御装置及びディスプレイ装置に連結されたステアリングホイールアセンブリ４の作動ユニット１７，１８，１９によって、提示された候補（提案）を承諾及び／又は拒否する。この場合、好ましくは、作動ユニット１７，１８，１９の単一作動、例えば、２つの押しボタン式スイッチ１９の一方を押すことによって、検出された速度制限値が承諾される。
【００７９】
運転手は、スクリーンを介して提示された速度制限値（候補）を作動ユニットによって変更、すなわち増減させることも可能である。例えば、作動レバー１７及び／又は作動要素１８は、このために構成配置されている。
【００８０】
さらに、走行制御装置によって設定された速度制限値の許容範囲は、作動ユニット１７，１８，１９によって調整、作動される。当該許容範囲とは、自動車の速度が、検出された速度制限値から外れると想定される速度範囲である。従って、運転手は、例えば、外部からディスプレイ装置に伝送された速度制限値を常時１０％上回るように調整できる。
【００８１】
また、スクリーン３は、エンジンの現在の回転速度及び／又は自動車の変速装置の使用中のギアを表示するように構成されている。本実施例では、センサ装置Ｅは、自動車の現在の回転速度及び現在のギアを検出するように構成されている。
【００８２】
機能ユニットとしての電子評価装置は、検出された回転速度から、現在のギアに応じて使用すべきギアを算出し、その候補は、スクリーン３を介して表示され、例えば、運転手がボタン（押しボタン式スイッチ１９）を押すことにより承諾及び／又は拒否される。この候補は、ステアリングホイールアセンブリ４の作動ユニット１７，１８，１９を介して調整可能な別のパラメータ（例えば、スポーツ性、経済性などの所望の運転スタイル）に応じて決められてもよい。
【００８３】
さらに、スクリーン３は、有利には、選択された駐車場所（駐車スペース）に駐車するためにどのような操作を行えばよいかを運転手に表示するのに用いることもできる。この目的のために、前記駐車場所は、例えば、通過走行時にセンサ装置Ｅによって計測され分類される。すなわち、駐車スペースの大きさから駐車可能か否かが自動的に決定される。
【００８４】
図１０は、図１１および図１２と併せて、ステアリングホイール５ａのステアリングホイールリム５を有する、図２，８及び９に示されたタイプのステアリングホイールアセンブリ４のステアリングホイール５ａの細部を示す概略断面図である。ステアリングホイール５ａのステアリングホイールリム５は、ステアリング軸Ｄに対して交差する方向に環状にハブ体６を取り囲んでいる。ステアリング軸Ｄは、図１０から１２の各切断面に示されている。
【００８５】
ハブ体６は、運転手を保護するためにステアリング軸Ｄと一致する主展開方向に展開可能なエアバッグＧ（エアバッグＧの一部は、図１０に点線で示されている）を有するエアバッグモジュールの収納容器を形成している。この目的のために、エアバッグＧは、エアバッグモジュールのガス発生装置（図示されていない）によって膨張し、ハブ体６のカバーキャップ（図示されていない）を突き抜け、及び／又は吹き飛ばし、運転手を保護するために主展開方向、すなわちステアリングホイール５ａと運転手との間に展開する。エアバッグＧは、膨張状態で、ステアリング軸Ｄ及び／又は主展開方向に対して左右対称に構成され、ステアリング軸Ｄの方向と、ステアリング軸Ｄに対して交差する方向との両方向に空間的膨張をする。エアバッグＧは、ガス発生装置からのガスで充填されることにより、ステアリング軸Ｄに対して交差する方向に膨張しながら展開し、ステアリング軸Ｄに交差するステアリング軸Ｄに対向するステアリングホイールリム５の領域Ｂに衝突する可能性がある。これは、例えば、エアバッグＧが自由に展開できない場合、すなわち運転手がステアリング軸Ｄの方向においてステアリングホイール５に接近し過ぎているような状況（ＯＯＰ状態）下で発生し得る。
【００８６】
領域Ｂに当たるエアバッグＧが確実に方向転換及び／又は偏向するように、すなわちエアバッグＧが、ステアリングホイールリム５、特にステアリングホイールリム５及び／又は領域Ｂに設けられたディスプレイ装置８を損傷しないようにするために、領域Ｂは、ステアリング軸Ｄに対して傾斜する偏向傾斜部を有する。当該傾斜は、エアバッグＧが領域Ｂに当って偏向する際の視射角にほぼ一致する入射角で領域Ｂに当るように構成されている。このことが、回転方向Ｒに対して交差する方向に環状にステアリングホイールリム５を取り囲む外周方向Ｕの可能な限り広い領域にわたって可能であるように、領域Ｂは、さらに凸状湾曲部を有している。
【００８７】
さらに、領域Ｂは、ハブ体６に面するとともに運転手に面している表面Ｏを有し、エアバッグＧが表面Ｏ上を容易に摺動可能であるように（低摩擦）形成されている。また、領域Ｂは、ディスプレイ装置８の周囲に限定され、ディスプレイ装置８に沿って回転方向Ｒ及び／又は外周方向Ｕに延在可能である。しかし、領域Ｂは、ステアリングホイールリム５及び／又はステアリング軸Ｄを回転方向Ｒに環状に取り囲んでもよい。
【００８８】
上述したように形成されるステアリングホイールリム５の領域Ｂは、ハブ体６に面するステアリングホイールリム５の内側Ｉに配置された、１つまたは複数のシェル要素Ｓ上に構成することが可能である。
【００８９】
ステアリング軸Ｄを含む切断面につき、これらのシェル要素Ｓは、ディスプレイ装置８の領域において、ステアリングホイールリム５の回転方向Ｒに離間した部分に沿ったディスプレイ装置８の輪郭からずれた輪郭を有している。しかし、ディスプレイ装置８の領域における輪郭は、ディスプレイ装置８から回転方向Ｒに離間しているステアリングホイールリム部分のその他の輪郭とほぼ完全に一致させることも可能である。シェル要素Ｓの代わりに、エアバッグＧを偏向するために対応して構成された領域Ｂを有するステアリングホイールリム５の発泡部分が、ディスプレイ装置８に沿ってステアリングホイールリム５上に設けられてもよい。
【００９０】
図１１に示されたシェル要素Ｓは、ハブ体６側にも運転手側にも面するシェル要素Ｓの領域Ｂにおいて、領域Ｂに面して対向するステアリングホイールリム５の領域よりさらに湾曲した凸状膨出部を有する。この場合、図１２とは異なり、図１１に示された断面Ｕ字形をしたシェル要素Ｓは、ステアリング軸Ｄの方向において領域Ｂと対向するシェル要素Ｓの領域よりも、領域Ｂの方が大きな湾曲を有する。その結果、図１１に示されたシェル要素Ｓは、ステアリング軸Ｄの方向においてステアリングホイールリム５より最大幅が小さいため、前記ステアリングホイールリムは、ステアリング軸Ｄの方向にシェル要素Ｓから突出する。
【００９１】
図１２に示されたシェル要素Ｓの変更例も、断面Ｕ字形、すなわち凸状に湾曲して形成され、ステアリング軸Ｄに対して交差する方向の軸に対して左右対称の構造である。前記シェル要素Ｓの最大幅は、ステアリング軸Ｄ方向におけるステアリングホイールリム５の最大幅と一致する。シェル要素Ｓの自由端において、ステアリングホイールリム５とは反対方向に面するシェル要素Ｓの外表面は、ステアリングホイールリム５の（外側に面する）外表面に面一に嵌め込まれ、接線方向に延在しているため、シェル要素Ｓとステアリングホイールリム５間の円滑な移行が確保される。これにより、エアバッグＧが領域Ｂに当接する際、エアバッグＧを損傷する恐れのあるエッジが最初から回避可能である。
【００９２】
シェル要素Ｓの両実施形態は、領域Ｂがステアリング軸Ｄに対して傾斜して（かつ、ステアリング軸Ｄに対して交差する方向に湾曲して）構成され、展開中のエアバッグＧの偏向及び／又は方向転換が確実に行なわれるように、膨出部を有することが重要である。図１１及び／又は図１２に示されたシェル要素Ｓの断面Ｕ字形の外形は、ほぼハブ体６に面する丸い先端部Ｋを有し、すなわち、ハブ体６に面した、断面外形の曲率が最大となる凸状湾曲領域を有し（シェル要素Ｓの断面Ｕ字形の外形が、例えば、半楕円形）、シェル要素Ｓの領域Ｂが、ステアリング軸Ｄ方向において前記先端部Ｋと運転手との間に配置されると有利である。その結果、展開中のエアバッグＧが領域Ｂを介してステアリング軸Ｄの方向に偏向可能となり、有利である。
【００９３】
さらに、シェル要素Ｓは、部分的又は完全にディスプレイ装置８を覆い、光学式ディスプレイ装置８の場合は、透明な構造であってもよい。あるいは、シェル要素Ｓは、ステアリングホイールリム５に配置されたディスプレイ装置８の左右にステアリングホイールリム５に沿って配置され、すなわち、ステアリングホイールリム５に沿ってディスプレイ装置８を囲んで配置されてもよい。したがって、図１１及び図１２のシェル要素Ｓが、領域Ｂにおいてステアリングホイールリム５から突出し、ステアリングホイールリム５に配置及び／又は挿入されたディスプレイ装置８を越えて、すなわちディスプレイ装置８と展開中のエアバッグＧとの間に突出するため、ディスプレイ装置８は保護される。当該保護機能は、ステアリング軸Ｄに対する領域Ｂの傾斜（領域Ｂは偏向斜面を形成する）、及び展開中のエアバッグＧの方向転換及び／又は偏向を確実にする領域Ｂの湾曲によって補助される。
【００９４】
本発明では、「前記パラメータの調整は、パラメータの確認又は変更を含むことを特徴とする請求項１又は２に記載のステアリングホイールアセンブリ。」という構成（態様１）が想到される。
また、本発明では、「前記作動ユニット（１７，１８，１９）は、前記作動ユニット（１７，１８，１９）の単一作動を介して前記候補を承諾又は拒否するように構成されている請求項１から３、前記態様１のいずれか１項に記載のステアリングホイールアセンブリ。」という構成（態様２）が想到される。
また、本発明では、「前記候補は、前記作動ユニット（１７，１８，１９）によって変更可能であることを特徴とする請求項１から３、前記態様１又は２のいずれか１項に記載のステアリングホイールアセンブリ。」という構成（態様３）が想到される。
また、本発明では、「前記機能ユニットは、前記作動ユニット（１７，１８，１９）が前記候補の有効な承諾のため、作動のための所定の時間制限を設けていることを特徴とする請求項１から３、前記態様１から３のいずれか１項に記載のステアリングホイールアセンブリ。」という構成（態様４）が想到される。
また、本発明では、「前記機能ユニットは、前記作動ユニット（１７，１８，１９）によって作動させることが可能な、かつ、前記パラメータがパラメータの制限値を下回る及び／又は超過する場合の許容範囲を設けていることを特徴とする請求項１から８、前記態様１から４のいずれか１項に記載のステアリングホイールアセンブリ。」という構成（態様５）が想到される。
また、本発明では、「前記センサ装置は、自動車の周囲に配置されたディスプレイから前記パラメータの制限値を読み取るように構成されていることを特徴とする請求項１から８、前記態様１から５のいずれか１項に記載のステアリングホイールアセンブリ。」という構成（態様６）が想到される。
また、本発明では、「前記センサ装置は、自動車の周囲に配置されたデータ・ストアから前記パラメータの制限値を選択するように構成されていることを特徴とする請求項１から８、前記態様１から６のいずれか１項に記載のステアリングホイールアセンブリ。」という構成（態様７）が想到される。
また、本発明では、「前記パラメータは、自動車のエンジンの現在の回転速度であることを特徴とする請求項１から３、前記態様１から４のいずれか１項に記載のステアリングホイールアセンブリ。」という構成（態様８）が想到される。
また、本発明では、「前記センサ装置（Ｅ）は、自動車の変速機の現在のギアを検出するように構成されていることを特徴とする前記態様８に記載のステアリングホイールアセンブリ。」という構成（態様９）が想到される。
また、本発明では、「前記候補は使用すべきギアに関するものであり、前記候補が承諾されれば、前記候補のギアの係合が行われることを特徴とする前記態様８又は９に記載のステアリングホイールアセンブリ。」という構成（態様１０）が想到される。
また、本発明では、「前記機能ユニットは、少なくとも現在の回転速度及び現在のギアに応じて、前記候補を、前記ディスプレイ装置（８）を介して運転手に表示するように構成された前記ディスプレイ装置（８）に接続された電子評価装置として構成されていることを特徴とする前記態様９又は１０に記載のステアリングホイールアセンブリ。」という構成（態様１１）が想到される。
また、本発明では、「前記ディスプレイ装置（８）は、前記ステアリングホイール（５ａ）のステアリング軸（Ｄ）を少なくとも部分的に取り囲むステアリングホイールリム（５）上に配置されていることを特徴とする請求項１から１７、前記態様１から１１のいずれか１項に記載のステアリングホイールアセンブリ。」という構成（態様１２）が想到される。
また、本発明では、「前記ディスプレイ装置（８）は、前記ステアリングホイール（５ａ）の直進運転位置において、前記垂直車軸（Ｚ）方向における前記ステアリング軸（Ｄ）上方に配置されていることを特徴とする前記態様１２に記載のステアリングホイールアセンブリ。」という構成（態様１３）が想到される。
また、本発明では、「前記ディスプレイ装置（８）は、自動車の走行情報を表示するように構成されていることを特徴とする請求項１から１７、前記態様１から１３のいずれか１項に記載のステアリングホイールアセンブリ。」という構成（態様１４）が想到される。
また、本発明では、「自動車運転手の集中状態を検出するために前記ステアリングホイール（５ａ）に配置され、検出された運転手の集中状態に応じて前記ディスプレイ装置（８）を作動させる少なくとも一つの検出装置（１０）を備えていることを特徴とする請求項１から１７、前記態様１から１４のいずれか１項に記載のステアリングホイールアセンブリ。」という構成（態様１５）が想到される。
また、本発明では、「前記検出装置（１０）は、カメラとして構成されていることを特徴とする前記態様１５に記載のステアリングホイールアセンブリ。」という構成（態様１６）が想到される。
また、本発明では、「前記検出装置（１０）は、前記ディスプレイ装置（８）に隣接して配置されていることを特徴とする前記態様１５又は１６に記載のステアリングホイールアセンブリ。」という構成（態様１７）が想到される。
また、本発明では、「前記検出装置（１０）は、前記ステアリングホイールリム（５）上に配置されていることを特徴とする前記態様１２、または前記態様１２に基づく前記態様１３から１７のいずれか１項に記載のステアリングホイールアセンブリ。」という構成（態様１８）が想到される。
また、本発明では、「前記検出装置（１０）は、前記ステアリングホイールリム（５）の直進運転位置において前記垂直車軸（Ｚ）方向における前記ステアリング軸（Ｄ）上方に配置されていることを特徴とする前記態様１２、また前記態様１２に基づく前記態様１３から１８のいずれか１項に記載のステアリングホイールアセンブリ。」という構成（態様１９）が想到される。
また、本発明では、「前記ディスプレイ装置（８）は、少なくとも２つのディスプレイ要素（３，２）を有することを特徴とする請求項１から１７、前記態様１から１９のいずれか１項に記載のステアリングホイールアセンブリ。」という構成（態様２０）が想到される。
また、本発明では、「前記検出装置（１０）は、前記少なくとも２つのディスプレイ要素（３，２）の間に前記ステアリングホイールリム（５）に沿って配置されていることを特徴とする前記態様１２、前記態様１５及び２０のいずれか１項に記載のステアリングホイールアセンブリ。」という構成（態様２１）が想到される。
また、本発明では、「前記検出装置（１０）と前記２つのディスプレイ要素（３，２）それぞれとの間の距離は、前記ステアリングホイールリム（５）に沿って設けられた前記２つのディスプレイ要素（３，２）の少なくとも一方の幅より狭いことを特徴とする前記態様１２及び、２０又は２１のいずれかに記載のステアリングホイールアセンブリ。」という構成（態様２２）が想到される。
また、本発明では、「自動車運転手の集中状態を検出するための別の検出装置（１０）が設けられ、検出された運転手の注視状態に応じて、前記ディスプレイ装置（８）を作動させるように構成されていることを特徴とする前記態様１５から２２のいずれか１項に記載のステアリングホイールアセンブリ。」という構成（態様２３）が想到される。
また、本発明では、「前記別の検出装置（１０）は、カメラとして構成されていることを特徴とする前記態様２３に記載のステアリングホイールアセンブリ。」という構成（態様２４）が想到される。
また、本発明では、「前記検出装置（１０）は、前記検出装置（１０）の少なくとも一つが、前記ステアリングホイールリム（５）の位置とは関係なく前記垂直車軸（Ｚ）方向における前記ステアリング軸（Ｄ）上方に配置されるように、前記ステアリングホイールリム（５）に沿って配置されていることを特徴とする前記態様１２及び、前記態様２３又は２４のいずれか１項に記載のステアリングホイールアセンブリ。」という構成（態様２５）が想到される。
また、本発明では、「前記ステアリング軸（Ｄ）を中心に回転可能であり、かつ少なくとも一つのスポーク（７）を介して前記ステアリングホイールリム（５）に接続されているハブ体（６）を備えていることを特徴とする、前記態様１２に係る請求項１から１７、前記態様１から２５のいずれか１項に記載のステアリングホイールアセンブリ。」という構成（態様２６）が想到される。
また、本発明では、「前記少なくとも一つのディスプレイ装置（８）を有する前記ステアリングホイールリム（５）の領域（Ｂ）を備えていることを特徴とする前記態様２６に記載のステアリングホイールアセンブリ。」という構成（態様２７）が想到される。
また、本発明では、「前記ハブ体（６）に配置された、エアバッグ（Ｇ）を有するエアバッグモジュールを備え、前記エアバッグ（Ｇ）が、運転手を保護するために前記ステアリング軸（Ｄ）に沿った主展開方向に展開可能であり、展開時に前記ステアリング軸（Ｄ）と交差する方向に前記ステアリングホイールリム（５）の前記領域（Ｂ）に衝突する可能性のあることを特徴とする前記態様２７に記載のステアリングホイールアセンブリ。」という構成（態様２８）が想到される。
また、本発明では、「前記ステアリングホイールリム（５）の前記領域（Ｂ）は、前記エアバッグが前記領域（Ｂ）に当接する際に、前記主展開方向に偏向されるように、前記エアバッグ（Ｇ）と協働することを特徴とする前記態様２８に記載のステアリングホイールアセンブリ。」という構成（態様２９）が想到される。
また、本発明では、「展開中の前記エアバッグ（Ｇ）を偏向するための前記領域（Ｂ）は、偏向斜面を有することを特徴とする前記態様２９に記載のステアリングホイールアセンブリ。」という構成（態様３０）が想到される。
また、本発明では、「展開中の前記エアバッグ（Ｇ）を偏向するための前記領域（Ｂ）は、摩擦係数の低い表面（Ｏ）を有することを特徴とする前記態様２９又は３０に記載のステアリングホイールアセンブリ。」という構成（態様３１）が想到される。
また、本発明では、「前記ディスプレイ装置（８）は、光学式ディスプレイ（１，２，３，１１）として構成されていることを特徴とする請求項１から１７、前記態様１から３１のいずれか１項に記載のステアリングホイールアセンブリ。」という構成（態様３２）が想到される。
また、本発明では、「前記光学式ディスプレイは、少なくとも一つのＬＥＤを有することを特徴とする前記態様３２に記載のステアリングホイールアセンブリ。」という構成（態様３３）が想到される。
また、本発明では、「前記光学式ディスプレイは、複数のＬＥＤを有することを特徴とする前記態様３２又は３３に記載のステアリングホイールアセンブリ。」という構成（態様３４）が想到される。
また、本発明では、「前記光学式ディスプレイは、ＬＥＤ領域（１，２，１１）を有することを特徴とする前記態様３４に記載のステアリングホイールアセンブリ。」という構成（態様３５）が想到される。
また、本発明では、「前記光学式ディスプレイは、スクリーン（３）を有することを特徴とする前記態様３２から３５のいずれか１項に記載のステアリングホイールアセンブリ。」という構成（態様３６）が想到される。
【図面の簡単な説明】
【００９５】
【図１】公知の通信インターフェース、及び、ステアリングホイールリムに配置されたディスプレイ装置を有する本発明に係るステアリングホイールアセンブリの変更例が示された運転手の視線方向の斜視図である。
【図２】ステアリングホイールリムにＬＣＤ（ディスプレイ装置）が設けられた図２及び図３に示されたタイプの本発明に係るステアリングホイールアセンブリの平面図である。
【図３ａ】前方走行車両との車間距離が近すぎることについての警告用光信号を表示する図２に示されたタイプのディスプレイ装置（ＬＣＤ）である。
【図３ｂ】前方走行車両との車間距離が近すぎることについての警告用光信号を表示する図２に示されたタイプのディスプレイ装置（ＬＣＤ）である。
【図３ｃ】前方走行車両との車間距離が近すぎることについての警告用光信号を表示する図２に示されたタイプのディスプレイ装置（ＬＣＤ）である。
【図３ｄ】前方走行車両との車間距離が近すぎることについての警告用光信号を表示する図２に示されたタイプのディスプレイ装置（ＬＣＤ）である。
【図４ａ】隣りの車線を走る対向車との衝突の可能性を示す概略図である。
【図４ｂ】交差する車線を走る車両との衝突の可能性を示す概略図である。
【図４ｃ】同じ車線の前方を走行する車両との衝突の可能性を示す概略図である。
【図５】本発明に係るステアリングホイールアセンブリによって、運転手の注意が道路（前方視線方向）に向けられている場合の、自動車の運転席における運転手の斜視図である。
【図６】コーナリング速度警告のための光信号を表示するディスプレイ装置の詳細である。
【図７】一時停止の標識を無視しないように警告する光学警告信号を表示するディスプレイ装置の詳細である。
【図８】図２に示されたタイプのステアリングホイールアセンブリの変更例である。
【図９】図８に示されたタイプのステアリングホイールアセンブリの変更例である。
【図１０】展開中のエアバッグを偏向するための領域を有する本発明に係るステアリングホイールアセンブリのステアリングホイールの略断面である。
【図１１】図１０に示されたステアリングホイールのステアリングホイールリムの略断面である。
【図１２】図１１に示されたステアリングホイールリムの変更例の略断面である。
【国際調査報告】
2008526609.tif 000020
2008526609.tif 000021
2008526609.tif 000022
2008526609.tif 000023
2008526609.tif 000024
2008526609.tif 000025